(57)【要約】  セルの測定を効率的に行う端末装置、基地局装置、通信システム、制御方法および集積回路に関する技術を提供する。端末装置が、複数の在圏セルの周波数を測定対象とする測定イベントが測定設定で設定された場合、基地局装置から設定される測定設定に基づいて測定対象の周波数における複数の在圏セルから評価対象セルと周辺セルとをそれぞれ決定し、評価対象セルの測定結果を用いて測定イベントを評価する。
2015029712.tif 000002
【特許請求の範囲】
【請求項１】
複数のセルを用いる端末装置であって、
基地局装置から通知された複数の在圏セルを設定している場合において、複数の前記在圏セルの周波数の少なくとも一つを測定対象とする測定イベントが測定設定で通知された場合、前記測定設定に基づいて複数の前記在圏セルから評価対象セルと周辺セルとをそれぞれ決定し、前記評価対象セルの測定結果を用いて前記測定イベントを評価する端末装置。
【請求項２】
プライマリセルを前記評価対象セルとみなし、前記プライマリセル以外の在圏セルを周辺セルとみなす請求項１記載の端末装置。
【請求項３】
前記測定設定に含まれる報告設定で指定された在圏セルを前記評価対象セルとみなし、前記指定された在圏セル以外の在圏セルを周辺セルとみなす請求項１記載の端末装置。
【請求項４】
前記測定設定に含まれる報告設定で示される情報によって判断される在圏セルを前記評価対象セルとみなし、前記指定された在圏セル以外の在圏セルを周辺セルとみなす請求項１記載の端末装置。
【請求項５】
現在通信していると判断される在圏セルを前記評価対象セルとみなし、前記現在通信していると判断される在圏セル以外の在圏セルを周辺セルとみなす請求項１記載の端末装置。
【請求項６】
複数の前記在圏セルのうち、前記基地局装置から通知された設定に基づいて在圏セルの一つを前記評価対象セルとみなし、前記評価対象セル以外の在圏セルを周辺セルとみなす請求項１記載の端末装置。
【請求項７】
前記評価対象セルに関連する測定イベントが通知された場合に、前記評価対象セルの測定結果を用いて前記測定イベントを評価する請求項６記載の端末装置。
【請求項８】
複数のセルを用いて端末装置と通信する基地局装置であって、
複数の在圏セルを前記端末装置に通知する場合に、複数の前記在圏セルの周波数の少なくとも一つを測定対象とする測定イベントを測定設定に含めて通知し、前記測定設定に含まれる報告設定に基づいて複数の前記在圏セルからそれぞれ決定された評価対象セルと周辺セルの測定結果を用いて前記測定イベントを前記端末装置に評価させ、前記測定設定に含まれる報告設定に基づいて報告される測定報告を受信する基地局装置。
【請求項９】
複数の前記在圏セルのうち、前記評価対象セルとして用いる在圏セルを前記測定設定によって指定する請求項８記載の基地局装置。
【請求項１０】
複数のセルを用いて端末装置と基地局装置が通信する通信システムであって、
前記基地局装置は、複数の在圏セルを前記端末装置に通知する場合に、複数の前記在圏セルの周波数の少なくとも一つを測定対象とする測定イベントを測定設定に含めて通知し、前記測定設定に含まれる報告設定に基づいて報告される測定報告を受信し、
前記端末装置は、前記測定設定に基づいて前記測定対象の周波数における複数の前記在圏セルから評価対象セルと周辺セルとをそれぞれ決定し、前記評価対象セルの測定結果を用いて前記測定イベントを評価する通信システム。
【請求項１１】
複数のセルを用いる端末装置の測定方法であって、
基地局装置から通知された複数の在圏セルを設定している場合において、複数の前記在圏セルの周波数の少なくとも一つを測定対象とする測定イベントが測定設定で通知された場合、前記測定設定に基づいて前記測定対象の周波数における複数の前記在圏セルから評価対象セルと周辺セルとをそれぞれ決定するステップと、前記評価対象セルの測定結果を用いて前記測定イベントを評価するステップとを少なくとも備える測定方法。
【請求項１２】
複数のセルを用いて端末装置と通信する基地局装置の測定方法であって、
複数の在圏セルを前記端末装置に通知する場合に、複数の前記在圏セルの周波数の少なくとも一つを測定対象とする測定イベントを測定設定に含めて通知するステップと、前記測定設定に含まれる報告設定に基づいて複数の前記在圏セルからそれぞれ決定された評価対象セルと周辺セルの測定結果を用いて前記測定イベントを前記端末装置に評価させるステップと、測定設定に含まれる報告設定に基づいて報告される測定報告を受信するステップとを少なくとも備える測定方法。
【請求項１３】
複数のセルを用いる端末装置に搭載される集積回路であって、
基地局装置から通知された複数の在圏セルを設定している場合において、複数の前記在圏セルの周波数の少なくとも一つを測定対象とする測定イベントが測定設定で通知された場合、前記測定設定に基づいて前記測定対象の周波数における複数の前記在圏セルから評価対象セルと周辺セルとをそれぞれ決定する機能と、前記評価対象セルの測定結果を用いて前記測定イベントを評価する機能とを少なくとも前記端末装置に発揮させる集積回路。
【請求項１４】
複数のセルを用いて端末装置と通信する基地局装置に搭載される集積回路であって、
複数の在圏セルを前記端末装置に通知する場合に、複数の前記在圏セルの周波数の少なくとも一つを測定対象とする測定イベントを測定設定に含めて通知する機能と、前記測定設定に含まれる報告設定に基づいて複数の前記在圏セルからそれぞれ決定された評価対象セルと周辺セルの測定結果を用いて前記測定イベントを前記端末装置に評価させる機能と、測定設定に含まれる報告設定に基づく測定報告を受信する機能とを少なくとも前記基地局装置に発揮させる集積回路。
【発明の詳細な説明】
【技術分野】
【０００１】
本発明の実施形態は、セルの測定を効率的に行う端末装置、基地局装置、通信システム、測定方法および集積回路の技術に関する。
本願は、２０１３年８月２９日に、日本に出願された特願２０１３−１７７４２５号に基づき優先権を主張し、その内容をここに援用する。
【背景技術】
【０００２】
標準化プロジェクトである３ＧＰＰ（3rd Generation Partnership Project）において、ＯＦＤＭ（Orthogonal Frequency-Division Multiplexing）通信方式やリソースブロックと呼ばれる所定の周波数・時間単位の柔軟なスケジューリングの採用によって、高速な通信を実現させたＥｖｏｌｖｅｄ  Ｕｎｉｖｅｒｓａｌ  Ｔｅｒｒｅｓｔｒｉａｌ  Ｒａｄｉｏ  Ａｃｃｅｓｓ（以降EUTRAと称する）の標準化が行なわれた。【０００３】
また、３ＧＰＰでは、より高速なデータ伝送を実現し、ＥＵＴＲＡに対して上位互換性を持つＡｄｖａｎｃｅｄ  ＥＵＴＲＡの検討を行っている。ＥＵＴＲＡでは、基地局装置がほぼ同一のセル構成（セルサイズ）から成るネットワークを主に想定していたが、Ａｄｖａｎｃｅｄ  ＥＵＴＲＡでは、異なる構成の基地局装置（セル）が同じエリアに混在しているネットワーク（異種無線ネットワーク、ヘテロジニアスネットワーク（Ｈｅｔｅｒｏｇｅｎｅｏｕｓ  Ｎｅｔｗｏｒｋ））を前提とし、これに対応した通信システムの検討が行われている。【０００４】
ヘテロジニアスネットワークのように、セル半径の大きいセル（マクロセル）と、セル半径がマクロセルよりも小さいセル（スモールセル）とが混在して配置される通信システムにおいて、端末装置が、複数のセルと同時に接続して通信を行う技術（Ｄｕａｌ  Ｃｏｎｎｅｃｔｉｖｉｔｙ（デュアルコネクティビティ、双対接続性））について検討されている（非特許文献１）。【０００５】
非特許文献１において、端末装置がセル半径（セルサイズ）の大きいセル（マクロセル）とセル半径の小さいセル（スモールセル）との間でデュアルコネクティビティを実現するときのシナリオの一つとして、同一周波数（co-channel scenario）のセルでのデュアルコネクティビティについて検討されている。【０００６】
非特許文献２は、同一周波数のセルでデュアルコネクティビティを行う場合に、端末装置がそれぞれの測定イベントに対し、リファレンスとなるセルを一意に決定できないことを指摘している。
【先行技術文献】
【非特許文献】
【０００７】
【非特許文献１】Ｒ２−１３０４４４，ＮＴＴ  ＤＯＣＯＭＯ，  ＩＮＣ．，３ＧＰＰ  ＴＳＧ  ＲＡＮ２＃８１，Ｓｔ．  Ｊｕｌｉａｎ’ｓ，  Ｍａｌｔａ，  Ｊａｎｕａｒｙ  ２８ｔｈ  −  Ｆｅｂｒｕａｒｙ  １ｓｔ，  ２０１３．ｈｔｔｐ：／／ｗｗｗ．３ｇｐｐ．ｏｒｇ／ｆｔｐ／ｔｓｇ＿ｒａｎ／ＷＧ２＿ＲＬ２／ＴＳＧＲ２＿８１／Ｄｏｃｓ／
【非特許文献２】Ｒ２−１３２５４０，  Ｐｏｔｅｖｉｏ，３ＧＰＰ  ＴＳＧ  ＲＡＮ２＃８３，Ｂａｒｃｅｌｏｎａ，  Ｓｐａｉｎ，  Ａｕｇｕｓｔ  １９ｔｈ−  ２３ｔｈ，  ２０１３．ｈｔｔｐ：／／ｗｗｗ．３ｇｐｐ．ｏｒｇ／ｆｔｐ／ｔｓｇ＿ｒａｎ／ＷＧ２＿ＲＬ２／ＴＳＧＲ２＿８３／Ｄｏｃｓ／
【発明の概要】
【発明が解決しようとする課題】
【０００８】
しかしながら、非特許文献２では、端末装置がそれぞれの測定イベントに対し、リファレンスとなるセルを一意に決定できないという問題を指摘しているが、この問題に対する解決策について何ら示されていない。すなわち、端末装置は、同一周波数において接続している在圏セルが複数存在する場合にリファレンスセルを一意に決定することができない。また、端末装置は、同一周波数において接続している在圏セルが複数存在する場合に在圏セルと周辺セルとを区別することができない。また、端末装置は、異なる周波数の在圏セルうち、同時に一つの在圏セルとしか通信できない場合に、リファレンスセルを一意に決定することができない。また、基地局装置は、同一周波数において接続している在圏セルが複数存在する場合に、端末装置から報告された測定イベントの報告内容を正しく解釈することができない。【０００９】
本発明の実施形態は、上述の課題を鑑みてなされたものであり、セルの測定を効率的に行うことが可能な端末装置、基地局装置、通信システム、測定方法および集積回路に関する技術を提供することによって、上記の課題の少なくとも１つを解決することを目的とする。
【課題を解決するための手段】
【００１０】
上記の目的を達成するために以下のような手段を講じた。すなわち、本発明の実施形態における端末装置は、基地局装置から通知された複数の在圏セルを設定している場合に、複数の在圏セルの周波数の少なくとも一つを測定対象とする測定イベントが測定設定で通知された場合、測定設定に基づいて測定対象の周波数における複数の在圏セルから評価対象セルと周辺セルとをそれぞれ決定し、決定した評価対象セルの測定結果を用いて測定イベントを評価する、複数のセルを用いる端末装置である。【００１１】
また、本発明の実施形態における端末装置は、プライマリセルを評価対象セルとみなし、プライマリセル以外の在圏セルを周辺セルとみなす、複数のセルを用いる端末装置である。【００１２】
また、本発明の実施形態における端末装置は、測定設定に含まれる報告設定で指定された在圏セルを評価対象セルとみなし、指定された在圏セル以外の在圏セルを周辺セルとみなす、複数のセルを用いる端末装置である。【００１３】
また、本発明の実施形態における端末装置は、測定設定に含まれる報告設定で示される情報によって判断される在圏セルを評価対象セルとみなし、指定された在圏セル以外の在圏セルを周辺セルとみなす、複数のセルを用いる端末装置である。【００１４】
また、本発明の実施形態における端末装置は、現在通信していると判断される在圏セルを評価対象セルとみなし、現在通信していると判断される在圏セル以外の在圏セルを周辺セルとみなす、複数のセルを用いる端末装置である。【００１５】
また、本発明の実施形態における端末装置は、複数の在圏セルのうち、基地局装置から通知された設定に基づいて在圏セルの一つを評価対象セルとみなし、評価対象セル以外の在圏セルを周辺セルとみなす、複数のセルを用いる端末装置である。【００１６】
また、本発明の実施形態における端末装置は、評価対象セルに関連する測定イベントが通知された場合に、評価対象セルの測定結果を用いて測定イベントを評価する、複数のセルを用いる端末装置である、複数のセルを用いる端末装置である。【００１７】
このように、端末装置は、評価対象セルと周辺セルとを一意に区別することができ、また、評価対象セルと周辺セルとを用いて適切に測定イベントを評価することができる。【００１８】
また、本発明の実施形態における基地局装置は、複数の在圏セルを端末装置に通知する場合に、複数の在圏セルの周波数の少なくとも一つを測定対象とする測定イベントを測定設定に含めて通知し、測定設定に含まれる報告設定に基づいて複数の在圏セルからそれぞれ決定された評価対象セルと周辺セルの測定結果を用いて測定イベントを端末装置に評価させるとともに、測定設定に含まれる報告設定に基づいて報告される測定報告を受信する、複数のセルを用いて端末装置と通信する基地局装置である。【００１９】
また、本発明の実施形態における基地局装置は、複数の在圏セルのうち、評価対象セルとして用いる在圏セルを測定設定によって指定する、複数のセルを用いて端末装置と通信する基地局装置である。【００２０】
このように、基地局装置は、端末装置に対して評価対象セルと周辺セルとを一意に区別するための測定設定を通知することができ、また、端末装置から評価対象セルと周辺セルとを適切に用いた測定イベントの測定結果を含む測定報告を受信することができる。【００２１】
また、本発明の実施形態における通信システムは、基地局装置において、複数の在圏セルを端末装置に通知する場合に、複数の在圏セルの周波数の少なくとも一つを測定対象とする測定イベントを測定設定に含めて通知し、測定設定に含まれる報告設定に基づいて報告される測定報告を受信し、端末装置において、測定イベントに関する測定設定に基づいて複数の在圏セルから評価対象セルと周辺セルとをそれぞれ決定し、決定した評価対象セルの測定結果を用いて測定イベントを評価する、複数のセルを用いて端末装置と基地局装置が通信する通信システムである。【００２２】
このように、通信システムにおいて、端末装置は、評価対象セルと周辺セルとを一意に区別することができ、また、評価対象セルと周辺セルとを用いて適切に測定イベントを評価するとともに、基地局装置は、端末装置に対して評価対象セルと周辺セルとを一意に区別するための測定設定を通知することができ、また、端末装置から評価対象セルと周辺セルとを適切に用いた測定イベントの測定結果を含む測定報告を受信することができる。【００２３】
また、本発明の実施形態における端末装置の測定方法は、基地局装置から通知された複数の在圏セルを設定している場合において、複数の在圏セルの周波数の少なくとも一つを測定対象とする測定イベントが測定設定で通知された場合、測定設定に基づいて測定対象の周波数における複数の在圏セルから評価対象セルと周辺セルとをそれぞれ決定するステップと、決定した評価対象セルの測定結果を用いて測定イベントを評価するステップとを少なくとも備える、複数のセルを用いる端末装置の測定方法である。【００２４】
また、本発明の実施形態における基地局装置の測定方法は、複数の在圏セルを端末装置に通知する場合に、複数の在圏セルの周波数の少なくとも一つを測定対象とする測定イベントを測定設定に含めて通知するステップと、測定設定に含まれる報告設定に基づいて複数の在圏セルからそれぞれ決定された評価対象セルと周辺セルの測定結果を用いて測定イベントを端末装置に評価させるステップと、測定設定に含まれる報告設定に基づいて報告される測定報告を受信するステップとを少なくとも備える、複数のセルを用いて端末装置と通信する基地局装置の測定方法である。【００２５】
また、本発明の実施形態における端末装置の集積回路は、基地局装置から通知された複数の在圏セルを設定している場合において、複数の在圏セルの周波数の少なくとも一つを測定対象とする測定イベントが測定設定で通知された場合、測定設定に基づいて測定対象の周波数における複数の在圏セルから評価対象セルと周辺セルとをそれぞれ決定する機能と、決定した評価対象セルの測定結果を用いて測定イベントを評価する機能とを少なくとも端末装置に発揮させる、複数のセルを用いる端末装置に搭載される集積回路である。【００２６】
また、本発明の実施形態における基地局装置の集積回路は、複数の在圏セルを端末装置に通知する場合に、複数の在圏セルの周波数の少なくとも一つを測定対象とする測定イベントを測定設定に含めて通知する機能と、測定設定に含まれる報告設定に基づいて複数の在圏セルからそれぞれ決定された評価対象セルと周辺セルの測定結果とを用いて測定イベントを端末装置に評価させる機能と、測定設定に含まれる報告設定に基づく測定報告を受信する機能とを少なくとも基地局装置に発揮させる、複数のセルを用いる基地局装置に搭載される集積回路である。【００２７】
本明細書では、セルの測定を効率的に行う端末装置、基地局装置、通信システム、測定方法および集積回路に関する技術という点において各実施形態を開示するが、各実施形態に対して適用可能な通信方式は、ＥＵＴＲＡまたはＡｄｖａｎｃｅｄ  ＥＵＴＲＡのようにＥＵＴＲＡと互換性のある通信方式に限定されるものではない。【００２８】
例えば、本明細書で述べられる技術は、符号分割多重アクセス（ＣＤＭＡ）、時分割多重アクセス（ＴＤＭＡ）、周波数分割多重アクセス（ＦＤＭＡ）、直交ＦＤＭＡ（ＯＦＤＭＡ）、シングルキャリアＦＤＭＡ（ＳＣ−ＦＤＭＡ）、およびその他のアクセス方式等を用いた、種々の通信システムにおいて使用され得る。また、本明細書において、システムとネットワークは同義的に使用され得る。
【発明の効果】
【００２９】
本発明の実施形態によれば、セルの測定を効率的に行うことが可能な端末装置、基地局装置、通信システム、測定方法および集積回路に関する技術を提供することができる。
【図面の簡単な説明】
【００３０】
【図１】本発明の実施形態に係る端末装置の概略構成の一例を示すブロック図である。
【図２】本発明の実施形態に係る基地局装置の概略構成の一例を示すブロック図である。
【図３】本発明の実施形態に係るセル配置について説明するための図である。
【図４】本発明の第１の実施形態における端末装置と基地局装置の測定方法に関するシーケンスチャート図の一例を示したものである。
【図５】本発明の実施形態に係る端末装置と基地局装置とをデュアルコネクティビティを用いて接続する場合の例を示した図である。
【図６】本発明の実施形態に係る端末装置と基地局装置とをデュアルコネクティビティを用いて接続する場合の別の例を示した図である。
【発明を実施するための形態】
【００３１】
本発明の各実施形態に関わる技術について以下に簡単に説明する。
【００３２】
[物理チャネル／物理シグナル]
ＥＵＴＲＡおよびＡｄｖａｎｃｅｄ  ＥＵＴＲＡで使用される主な物理チャネル、物理シグナルについて説明を行なう。チャネルとは信号の送受信に用いられる媒体を意味し、物理チャネルとは信号の送受信に用いられる物理的な媒体を意味する。本発明において、物理チャネルは、信号と同義的に使用され得る。物理チャネルは、ＥＵＴＲＡ、およびＡｄｖａｎｃｅｄ  ＥＵＴＲＡにおいて、今後追加、または、その構造やフォーマット形式が変更または追加される可能性があるが、変更または追加された場合でも本発明の各実施形態の説明には影響しない。
【００３３】
ＥＵＴＲＡおよびＡｄｖａｎｃｅｄ  ＥＵＴＲＡでは、物理チャネルまたは物理シグナルのスケジューリングについて無線フレームを用いて管理している。１無線フレームは１０ｍｓであり、１無線フレームは１０サブフレームで構成される。さらに、１サブフレームは２スロットで構成される（すなわち、１サブフレームは１ｍｓ、１スロットは０．５ｍｓである）。また、物理チャネルが配置されるスケジューリングの最小単位としてリソースブロックを用いて管理している。リソースブロックとは、周波数軸を複数サブキャリア（例えば１２サブキャリア）の集合で構成される一定の周波数領域と、一定の送信時間間隔（１スロット）で構成される領域で定義される。
【００３４】
同期シグナル（Synchronization Signals）は、３種類のプライマリ同期シグナルと、周波数領域で互い違いに配置される３１種類の符号から構成されるセカンダリ同期シグナルとで構成され、プライマリ同期シグナルとセカンダリ同期シグナルの信号の組み合わせによって、基地局装置を識別する５０４通りのセル識別子（物理セルＩＤ（Physical Cell Identity; PCI））と、無線同期のためのフレームタイミングが示される。端末装置は、セルサーチによって受信した同期シグナルの物理セルＩＤを特定する。
【００３５】
物理報知情報チャネル（PBCH; Physical Broadcast Channel）は、セル内の端末装置で共通に用いられる制御パラメータ（報知情報（システム情報）；System information）を通知（設定）する目的で送信される。物理報知情報チャネルで通知されない報知情報は、物理下りリンク制御チャネルで報知情報が送信される無線リソースがセル内の端末装置に対して通知され、通知された無線リソースにおいて、物理下りリンク共用チャネルによって報知情報を通知するレイヤ３メッセージ（システムインフォメーション）が送信される。
【００３６】
報知情報として、セル個別の識別子を示すセルグローバル識別子（CGI; Cell Global Identifier）、ページングによる待ち受けエリアを管理するトラッキングエリア識別子（TAI; Tracking Area Identifier）、ランダムアクセス設定情報、送信タイミング調整情報、当該セルにおける共通無線リソース設定情報、周辺セル情報、上りリンクアクセス制限情報などが通知される。
【００３７】
下りリンクリファレンスシグナル（下りリンク参照信号）は、その用途によって複数のタイプに分類される。例えば、セル固有ＲＳ（Cell-specific reference signals）は、セル毎に所定の電力で送信されるパイロットシグナルであり、所定の規則に基づいて周波数領域および時間領域で周期的に繰り返される下りリンクリファレンスシグナルである。端末装置は、セル固有ＲＳを受信することでセル毎の受信品質を測定する。また、端末装置は、セル固有ＲＳと同時に送信される物理下りリンク制御チャネル、または物理下りリンク共用チャネルの復調のための参照用の信号としても下りリンクセル固有ＲＳを使用する。セル固有ＲＳに使用される系列は、セル毎に識別可能な系列が用いられる。
【００３８】
また、下りリンクリファレンスシグナルは下りリンクの伝搬路変動の推定にも用いられる。伝搬路変動の推定に用いられる下りリンクリファレンスシグナルのことをチャネル状態情報リファレンスシグナル（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌｓ；ＣＳＩ−ＲＳ）と称する。また、端末装置に対して個別に設定される下りリンクリファレンスシグナルは、ＵＥ  ｓｐｅｃｉｆｉｃ  Ｒｅｆｅｒｅｎｃｅ  Ｓｉｇｎａｌｓ（ＵＲＳ）またはＤｅｄｉｃａｔｅｄ  ＲＳ（ＤＲＳ）と称され、物理下りリンク制御チャネル、または物理下りリンク共用チャネルを復調するときのチャネルの伝搬路補償処理のために参照される。
【００３９】
物理下りリンク制御チャネル（PDCCH; Physical Downlink Control Channel）は、各サブフレームの先頭からいくつかのＯＦＤＭシンボル（例えば１〜４ＯＦＤＭシンボル）で送信される。拡張物理下りリンク制御チャネル（EPDCCH; Enhanced Physical Downlink Control Channel）は、物理下りリンク共用チャネルＰＤＳＣＨが配置されるＯＦＤＭシンボルに配置される物理下りリンク制御チャネルである。ＰＤＣＣＨまたはＥＰＤＣＣＨは、端末装置に対して基地局装置のスケジューリングに従った無線リソース割り当て情報や、送信電力の増減の調整量を指示する情報を通知する目的で使用される。以降、単に物理下りリンク制御チャネル（ＰＤＣＣＨ）と記載した場合、特に明記がなければ、ＰＤＣＣＨとＥＰＤＣＣＨの両方の物理チャネルを意味する。
【００４０】
端末装置は、下りリンクデータや下りリンク制御データであるレイヤ３メッセージ（ページング、ハンドオーバーコマンドなど）を送受信する前に自装置宛の物理下りリンク制御チャネルを監視（モニタ）し、自装置宛の物理下りリンク制御チャネルを受信することで、送信時には上りリンクグラント、受信時には下りリンクグラント（下りリンクアサインメント）と呼ばれる無線リソース割り当て情報を物理下りリンク制御チャネルから取得する必要がある。なお、物理下りリンク制御チャネルは、上述したＯＦＤＭシンボルで送信される以外に、基地局装置から端末装置に対して個別（ｄｅｄｉｃａｔｅｄ）に割り当てられるリソースブロックの領域で送信されるように構成することも可能である。
【００４１】
物理上りリンク制御チャネル（PUCCH; Physical Uplink Control Channel）は、物理下りリンク共用チャネルで送信されたデータの受信確認応答（ＡＣＫ／ＮＡＣＫ；Ａｃｋｎｏｗｌｅｄｇｅｍｅｎｔ／Ｎｅｇａｔｉｖｅ  Ａｃｋｎｏｗｌｅｄｇｅｍｅｎｔ）や下りリンクの伝搬路（チャネル状態）情報（ＣＳＩ；Ｃｈａｎｎｅｌ  Ｓｔａｔｅ  Ｉｎｆｏｒｍａｔｉｏｎ）、上りリンクの無線リソース割り当て要求（無線リソース要求、スケジューリングリクエスト（ＳＲ；Ｓｃｈｅｄｕｌｉｎｇ  Ｒｅｑｕｅｓｔ））を行なうために使用される。
【００４２】
ＣＳＩは、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｉｃａｔｏｒ）、ＰＴＩ（Ｐｒｅｃｏｄｉｎｇ  Ｔｙｐｅ  Ｉｎｄｉｃａｔｏｒ）、ＲＩ（Ｒａｎｋ  Ｉｎｄｉｃａｔｏｒ）を含む。各Ｉｎｄｉｃａｔｏｒは、Ｉｎｄｉｃａｔｉｏｎと表記されてもよい。
【００４３】
物理下りリンク共用チャネル（PDSCH; Physical Downlink Shared Channel）は、下りリンクデータの他、ページングや物理報知情報チャネルで通知されない報知情報（システムインフォメーション）をレイヤ３メッセージとして端末装置に通知するためにも使用される。物理下りリンク共用チャネルの無線リソース割り当て情報は、物理下りリンク制御チャネルで示される。物理下りリンク共用チャネルは物理下りリンク制御チャネルが送信されるＯＦＤＭシンボル以外のＯＦＤＭシンボルに配置されて送信される。すなわち、物理下りリンク共用チャネルと物理下りリンク制御チャネルは１サブフレーム内で時分割多重されている。
【００４４】
物理上りリンク共用チャネル（PUSCH; Physical Uplink Shared Channel）は、主に上りリンクデータと上りリンク制御データを送信し、下りリンクの受信品質やＡＣＫ／ＮＡＣＫなどの制御データを含めることも可能である。また、上りリンクデータの他、上りリンク制御情報をレイヤ３メッセージとして端末装置から基地局装置に通知するためにも使用される。また、下りリンクと同様に物理上りリンク共用チャネルの無線リソース割り当て情報は、物理下りリンク制御チャネルで示される。
【００４５】
上りリンクリファレンスシグナル（上りリンク参照信号；Uplink Reference Signal、上りリンクパイロット信号、上りリンクパイロットチャネルとも呼称する）は、基地局装置が、物理上りリンク制御チャネルＰＵＣＣＨおよび／または物理上りリンク共用チャネルＰＵＳＣＨを復調するために使用する復調参照信号（ＤＭＲＳ；Demodulation Reference Signal）と、基地局装置が、主に、上りリンクのチャネル状態を推定するために使用するサウンディング参照信号（ＳＲＳ；Sounding Reference Signal）が含まれる。
【００４６】
また、サウンディング参照信号には、周期的に送信される周期的サウンディング参照信号（Ｐｅｒｉｏｄｉｃ  ＳＲＳ）と、基地局装置から指示されたときに送信される非周期的サウンディング参照信号（Ａｐｅｒｉｏｄｉｃ  ＳＲＳ）とがある。
【００４７】
物理ランダムアクセスチャネル（PRACH; Physical Random Access Channel）は、プリアンブル系列を通知（設定）するために使用されるチャネルであり、ガードタイムを有する。プリアンブル系列は、複数のシーケンスによって基地局装置へ情報を通知するように構成される。例えば、６４種類のシーケンスが用意されている場合、６ビットの情報を基地局装置へ示すことができる。物理ランダムアクセスチャネルは、端末装置の基地局装置へのアクセス手段として用いられる。
【００４８】
端末装置は、物理上りリンク制御チャネル未設定時の上りリンクの無線リソース要求のため、または、上りリンク送信タイミングを基地局装置の受信タイミングウィンドウに合わせるために必要な送信タイミング調整情報（タイミングアドバンス（Ｔｉｍｉｎｇ  Ａｄｖａｎｃｅ；ＴＡ）とも呼ばれる）を基地局装置に要求するためなどに物理ランダムアクセスチャネルを用いる。また、基地局装置は、端末装置に対して物理下りリンク制御チャネルを用いてランダムアクセス手順の開始を要求することもできる。
【００４９】
レイヤ３メッセージは、端末装置と基地局装置のＲＲＣ（無線リソース制御）層でやり取りされる制御平面（ＣＰ（Ｃｏｎｔｒｏｌ−ｐｌａｎｅ、Ｃ−Ｐｌａｎｅ））のプロトコルで取り扱われるメッセージであり、ＲＲＣシグナリングまたはＲＲＣメッセージと同義的に使用され得る。なお、制御平面に対し、ユーザデータを取り扱うプロトコルのことをユーザ平面（ＵＰ（Ｕｓｅｒ−ｐｌａｎｅ、Ｕ−Ｐｌａｎｅ））と称する。
【００５０】
なお、それ以外の物理チャネルまたは物理シグナルは、本発明の各実施形態に関わらないため詳細な説明は省略する。説明を省略した物理チャネルまたは物理シグナルとして、物理制御フォーマット指示チャネル（PCFICH：Physical control format indicator channel）、物理ＨＡＲＱ指示チャネル（PHICH：Physical hybrid ARQ indicator channel）、物理マルチキャストチャネル（PMCH：Physical multicast channel）などがある。
【００５１】
[無線ネットワーク]
基地局装置によって制御される各周波数の通信可能範囲（通信エリア）はセルとしてみなされる。このとき、基地局装置がカバーする通信エリアは周波数毎にそれぞれ異なる広さ、異なる形状であっても良い。また、カバーするエリアが周波数毎に異なっていてもよい。基地局装置の種別やセル半径の大きさが異なるセルが、同一の周波数または異なる周波数のエリアに混在して一つの通信システムを形成している無線ネットワークのことを、ヘテロジニアスネットワークと称する。
【００５２】
端末装置は、セルの中を通信エリアとみなして動作する。端末装置が、あるセルから別のセルへ移動するときは、非無線接続時（非通信中）はセル再選択手順、無線接続時（通信中）はハンドオーバー手順によって別の適切なセルへ移動する。適切なセルとは、一般的に端末装置のアクセスが基地局装置から指定される情報に基づいて禁止されていないと判断したセルであって、かつ、下りリンクの受信品質が所定の条件を満足するセルのことを示す。
【００５３】
基地局装置は端末装置が該基地局装置で通信可能なエリアであるセルを周波数毎に管理する。１つの基地局装置が複数のセルを管理していてもよい。セルは、端末装置と通信可能なエリアの大きさ（セルサイズ）に応じて複数の種別に分類される。例えば、セルは、マクロセルとスモールセルに分類される。スモールセルは、一般的に半径数メートルから数十メートルまでをカバーするセルである。また、スモールセルは、そのエリアの大きさに応じて、フェムトセル、ピコセル、ナノセルなどに分類されることもある。
【００５４】
端末装置がある基地局装置と通信可能であるとき、その基地局装置のセルのうち、端末装置との通信に使用されるように設定されているセルは在圏セル（Serving cell）であり、その他の通信に使用されないセルは周辺セル（Neighboring cell）と称される。
【００５５】
[プライマリセル、セカンダリセル]
また、端末装置と基地局装置は、キャリア・アグリゲーションによって複数の異なる周波数バンド（周波数帯）の周波数（コンポーネントキャリア、または周波数帯域）を集約（アグリゲート、ａｇｇｒｅｇａｔｅ）して一つの周波数（周波数帯域）のように扱う技術を適用してもよい。キャリア・アグリゲーションにおいて、コンポーネントキャリアとして、上りリンクに対応する上りリンクコンポーネントキャリアと、下りリンクに対応する下りリンクコンポーネントキャリアとがある。本明細書において、周波数と周波数帯域は同義的に使用され得る。
【００５６】
例えば、キャリア・アグリゲーションによって周波数帯域幅が２０ＭＨｚのコンポーネントキャリアを５つ集約した場合、キャリア・アグリゲーションを可能な能力を持つ端末装置はこれらを１００ＭＨｚの周波数帯域幅とみなして送受信を行う。なお、集約するコンポーネントキャリアは連続した周波数であっても、全てまたは一部が不連続となる周波数であってもよい。例えば、使用可能な周波数バンドが８００ＭＨｚ帯、２ＧＨｚ帯、３．５ＧＨｚ帯である場合、あるコンポーネントキャリアが８００ＭＨｚ帯、別のコンポーネントキャリアが２ＧＨｚ帯、さらに別のコンポーネントキャリアが３．５ＧＨｚ帯で送信されていてもよい。
【００５７】
また、同一周波数帯の連続または不連続の複数のコンポーネントキャリアを集約することも可能である。各コンポーネントキャリアの周波数帯域幅は端末装置の受信可能周波数帯域幅（例えば２０ＭＨｚ）よりも狭い周波数帯域幅（例えば５ＭＨｚや１０ＭＨｚ）であっても良く、集約する周波数帯域幅が各々異なっていても良い。周波数帯域幅は、後方互換性を考慮して従来のセルの周波数帯域幅のいずれかと等しいことが望ましいが、従来のセルの周波数帯域と異なる周波数帯域幅を持っていても構わない。
【００５８】
キャリア・アグリゲーションによって、後方互換性のないコンポーネントキャリア（キャリアタイプ）を集約してもよい。この後方互換性のないコンポーネントキャリアのことを、ニューキャリアタイプ（ＮＣＴ）とも称する。なお、基地局装置が端末装置に割り当てる（設定する、追加する）上りリンクコンポーネントキャリアの数は、下りリンクコンポーネントキャリアの数と同じか少ないことが望ましい。
【００５９】
端末装置と基地局装置は、ある上りリンクコンポーネントキャリアと、当該上りリンクコンポーネントキャリアとセル固有接続される下りリンクコンポーネントキャリアから構成されるセルを、プライマリセル（ＰＣｅｌｌ：Ｐｒｉｍａｒｙ  ｃｅｌｌ）として管理する。また、端末装置と基地局装置は、プライマリセル以外のコンポーネントキャリアから構成されるセルを、セカンダリセル（ＳＣｅｌｌ：Ｓｅｃｏｎｄａｒｙ  ｃｅｌｌ）として管理する。プライマリセルの周波数をプライマリ周波数と称し、セカンダリセルの周波数をセカンダリ周波数と称する。
【００６０】
端末装置は、プライマリセルにおいて、ページングメッセージの受信、報知情報の更新の検出、初期アクセス手順、セキュリティ情報の設定などを行う一方、セカンダリセルではこれらを行わないでもよい。プライマリセルとセカンダリセルとを合わせてサービングセル（在圏セル）と称する。
【００６１】
プライマリセルは活性化（Ａｃｔｉｖａｔｉｏｎ）および不活性化（Ｄｅａｃｔｉｖａｔｉｏｎ）の制御の対象外であるが（つまり、プライマリセルは必ず活性化しているとみなされる）、セカンダリセルは活性化と不活性化というアクティビティに応じたセルの状態（ｓｔａｔｅ）を持つ。セルの状態に関し、活性化されている状態をＡｃｔｉｖａｔｅｄ  ｓｔａｔｅ、不活性化されている状態をＤｅａｃｔｉｖａｔｅｄ  ｓｔａｔｅとも称する。
【００６２】
セル（セカンダリセル）の状態は、基地局装置から明示的に状態の変更が指定（通知、指示）される場合もあるし、コンポーネントキャリア（セカンダリセル）毎に端末装置が計時するタイマー情報（セカンダリセル不活性化タイマー；ディアクティベーションタイマー）に基づいて状態が変更される場合もある。
【００６３】
なお、キャリア・アグリゲーションは、複数のコンポーネントキャリア（周波数帯域）を用いた複数のセルによる通信であり、セル・アグリゲーションとも称される。なお、端末装置は、周波数毎にリレー局装置（またはリピーター）を介して基地局装置と無線接続されても良い。すなわち、本発明の各実施形態の基地局装置は、リレー局装置に置き換えることもできる。
【００６４】
[デュアルコネクティビティ]
デュアルコネクティビティの基本構造（アーキテクチャー）について説明する。デュアルコネクティビティにおいて、端末装置は、複数の基地局装置と同時に接続している。基地局装置はマクロセルを構成する基地局装置とスモールセルを構成する別の基地局装置である。また、基地局装置はスモールセルを構成する基地局装置と別のスモールセルを構成する別の基地局装置である。このように、端末装置が、複数の基地局装置に属するセルを用いて同時に接続することをデュアルコネクティビティと称し、デュアルコネクティビティを実現するための技術を用いて端末装置と複数の基地局装置とが接続することを、「デュアルコネクティビティを用いる」、「デュアルコネクティビティによる接続」、またはこれらと同義の表現を用いて説明する。接続されるセルは同じ周波数で運用されていてもよいし、異なる周波数で運用されていてもよい。
【００６５】
なお、キャリア・アグリゲーションは、複数のセルを一つの基地局装置が管理し、各セルの周波数が異なるという点、および、複数のセル間が遅延の影響を考慮する必要がない高速なバックボーン回線である点がデュアルコネクティビティによる接続と異なる。換言すると、キャリア・アグリゲーションは、一つの端末装置と一つの基地局装置とを、複数のセルを介して接続させる技術であるのに対し、デュアルコネクティビティは、一つの端末装置と複数の基地局装置とを、複数のセルを介して接続させる技術である。
【００６６】
端末装置と基地局装置は、キャリア・アグリゲーションに適用される技術を、デュアルコネクティビティに対して適用することができる。例えば、端末装置と基地局装置は、プライマリセルおよびセカンダリセルの管理（追加、削除、変更など）、キャリア・アグリゲーションに対応した測定方法および測定イベント設定、活性化／不活性化などの技術をデュアルコネクティビティにより接続されるセルに対して適用してもよい。
【００６７】
デュアルコネクティビティによって接続されるセルを構成する複数の基地局装置間の接続経路は、基地局インターフェースＮ１０と称される。また、基地局インターフェースＮ１０は、ＥＵＴＲＡにおいてＸ２インターフェース、またはＸｎインターフェースとも称される。
【００６８】
図５は、デュアルコネクティビティを用いて端末装置１と基地局装置２とを接続する場合の例を示した図である。端末装置１と基地局装置２（基地局装置２−１、基地局装置２−２）は、それぞれ独立したセルを介して同時に接続されており、端末装置１は、それぞれの基地局装置２のセルに対して同時受信および／または同時送信が可能である。
【００６９】
図６は、デュアルコネクティビティを用いて端末装置１と基地局装置２とを接続する場合の別の例を示した図である。端末装置１と基地局装置２（基地局装置２−１、基地局装置２−２）は、それぞれ独立したセルを介して同時に接続されており、端末装置１は、それぞれの基地局装置２のセルに対してどちらか一方のセルに対する受信および送信が可能である。すなわち、端末装置１は、基地局装置２−１のセルと送受信（通信）を行っている場合、他方の基地局装置２−２のセルとの送受信を行わない。なお、ここでの送受信とは、端末装置１に対する個別のスケジューリング送信のことであり、下りリンク同期信号や下りリンク参照信号、報知情報などのセル内で共通の信号／チャネルの受信を含めない。
【００７０】
また、本技術はデュアルコネクティビティという名称で呼ばれるが、端末装置１と接続される基地局装置２の数が２つまでに限定されるというわけではなく、端末装置１が３つ以上の基地局装置２と接続することも可能である。
【００７１】
[Ｍｅａｓｕｒｅｍｅｎｔ（測定）]
次に、端末装置における測定制御の方法（測定方法）について説明を行う。基地局装置は、端末装置に対して、無線リソース制御接続再設定（RRCConnectionReconfiguration）メッセージを用いて、測定設定（Measurement configuration）を送信する。
【００７２】
端末装置は、測定設定に含まれる測定パラメータを設定するとともに、通知された測定パラメータに従って、在圏セル（serving cell）および周辺セル（リストセル（listed cell）および／または検出セル（detected cell）を含む）に対する測定、測定イベントのイベント評価、測定報告を行う。リストセルは、測定対象（Measurement object(s)）にリストされているセル（基地局装置から端末装置へ周辺セルリストとして通知されているセル）であり、検出セルは、測定対象によって示された周波数において端末装置が検出したが、測定対象にはリストされていないセル（端末装置自身が検出したセル）である。
【００７３】
測定には、周波数内測定（intra-frequency measurements）、周波数間測定（inter-frequency measurements）、無線アクセス技術間測定（inter-RAT measurements）がある。周波数内測定は、在圏セルの下りリンク周波数での測定である。周波数間測定は、在圏セルの下りリンク周波数とは異なる周波数での測定である。無線アクセス技術間測定は、在圏セルの無線技術（例えばEUTRA）とは異なる無線アクセス技術（RAT：Radio Access Technology）での測定である。
【００７４】
測定設定には、測定識別子（measId）、測定対象（Measurement object(s)）、報告設定（Reporting configuration(s)）、数量設定（quantityConfig）、測定ギャップ設定（measGapConfig）、在圏セル品質スレッショルド（s-Measure）などが含まれる。
【００７５】
数量設定（quantityConfig）は、測定対象がEUTRAの場合、レイヤ３フィルタ係数（L3 filtering coefficient）を指定する。レイヤ３フィルタ係数（L3 filtering coefficient）は、最新の測定結果と、過去の測定結果とのフィルタリングの比（割合）を設定する。フィルタリング結果は、端末装置でイベント評価に使用される。イベント評価とは、端末装置において実施される、報告設定で示される測定イベントのトリガ基準を満たしたか否かの判断のことを示す。
【００７６】
ここで、測定識別子（measId）は、測定対象と、報告設定とをリンクする（対応付ける）ために使用され、具体的には、測定設定において、測定識別子（measId）と、リンクされる一つの測定対象識別子（measObjectId）と一つの報告設定識別子（reportConfigId）とが基地局装置によって設定され、端末装置に通知される。測定設定は、測定識別子、測定対象、報告設定の対応関係（リンク）に対してそれぞれ追加、修正、あるいは削除することが可能である。
【００７７】
測定対象は、無線アクセス技術（RAT）または周波数ごとに設定される。また、報告設定は、EUTRAに対する設定と、EUTRA以外のRATに対する設定とがある。
【００７８】
測定対象には、測定対象識別子と対応付けられた測定対象EUTRA（measObjectEUTRA）などが含まれる。測定対象識別子は、測定対象の設定を識別するために使用する識別子である。測定対象の設定は、前述のように、無線アクセス技術（RAT）または周波数ごとに設定されている。EUTRAに対する測定対象である測定対象EUTRAは、対応する周波数のEUTRAセルに対して適用される情報を設定する。また、異なる周波数の測定対象EUTRAは、異なる測定対象として扱われ、それぞれ異なる測定対象識別子が割り当てられる。
【００７９】
測定対象EUTRA（measObjectEUTRA）には、EUTRA搬送波周波数情報（eutra-CarrierInfo）、測定帯域幅（measurementBandwidth）、オフセット周波数（offsetFreq）、周辺セルリスト（neighbour cell list）に関する情報、ブラックリスト（black list）に関する情報などが含まれる。
【００８０】
次に、測定対象EUTRAに含まれる情報について説明する。EUTRA搬送波周波数情報は、測定対象となる周波数（搬送波周波数）を示す。測定帯域幅は、測定対象とする搬送波周波数で動作する全ての周辺セル共通な測定帯域幅を示す。オフセット周波数（offsetFreq）は、測定対象とする周波数において適用される測定オフセット値を示す。
【００８１】
報告設定には、報告設定識別子（reportConfigId）と対応付けられた報告設定EUTRA（reportConfigEUTRA）などが含まれる。
【００８２】
報告設定識別子（reportConfigId）は、測定に関する報告設定を識別するために使用する識別子である。EUTRAに対する報告設定である報告設定EUTRA（reportConfigEUTRA）は、EUTRAにおける測定報告メッセージで報告される測定イベントのトリガ基準（triggering criteria）を設定（既定）する。
【００８３】
また、報告設定EUTRA（reportConfigEUTRA）には、イベント識別子（eventId）、トリガ量（triggerQuantity）、ヒステリシス（hysteresis）、トリガ時間（timeToTrigger）、報告量（reportQuantity）、最大報告セル数（maxReportCells）、報告間隔（reportInterval）、報告回数（reportAmount）などが含まれる。
【００８４】
次に、報告設定EUTRA（reportConfigEUTRA）について説明する。イベント識別子（eventId）は、イベントトリガ報告（event triggered reporting）に関する基準（criteria）を選択するための情報である。ここで、イベントトリガ報告（event triggered reporting）とは、セルの受信品質（測定結果）が後述する測定イベントのトリガ基準をトリガ時間連続して満たした場合に、測定結果を基地局装置に報告することを示す。また、測定イベントのトリガ基準をトリガ時間連続して満たした場合に、一定間隔で、ある回数だけ測定結果を報告する方法を、トリガ周期報告（event triggered periodic reporting）と称する。
【００８５】
端末装置は、ある測定イベントにおけるトリガ基準をトリガ時間連続して満たしたと判断した場合、測定報告（measurement report）メッセージの送信手順をトリガ（開始）し、基地局装置に対して測定結果を含む測定報告メッセージを送信する。トリガ量（triggerQuantity）は、測定イベントのトリガ基準を評価するために用いられる量を示し、参照信号受信電力（RSRP：Reference Signal Received Power）、または、参照信号受信品質（RSRQ：ReferenceSignal Received Quality）が指定される。すなわち、端末装置は、トリガ量（triggerQuantity）によって指定された量を下りリンク参照信号の測定結果として使用し、イベント識別子（eventId）で指定された測定イベントのトリガ基準を満たしているか否かを判定する。
【００８６】
測定イベントのトリガ基準には、例えばＥＵＴＲＡのセルに対しては以下に示すイベントＡ１〜イベントＡ６が用いられており、それぞれ加入条件（entering condition）と離脱条件（leaving condition）がある。端末装置は、基地局装置から指定された測定イベントに対する加入条件をトリガ時間連続して満たしたと判断した場合、測定報告メッセージの送信手順をトリガする。一方、端末装置は、加入条件を満たした測定イベントの離脱条件をトリガ時間連続して満たしたと判断した場合、対応する測定報告メッセージの送信手順を停止する。
【００８７】
なお、測定イベントに対して離脱時報告（reportOnLeave）が設定されていた場合、端末装置は、基地局装置から指定された測定イベントに対する加入条件を満たし、かつ、離脱条件を満たしたときに測定報告メッセージの送信手順をトリガする。
【００８８】
＜イベント（Event）Ａ１＞
イベント（Event）A1加入条件：Ms - Hys > a1_Threshold
イベント（Event）A1離脱条件：Ms + Hys < a1_Threshold
【００８９】
＜イベント（Event）Ａ２＞
イベント（Event）A2加入条件：Ms - Hys < a2_Threshold
イベント（Event）A2離脱条件：Ms + Hys > a2_Threshold
【００９０】
＜イベント（Event）Ａ３＞
イベント（Event）A3加入条件：Mn + Ofn + Ocn - Hys > Mp + Ofp + Ocp + a3_Offset
イベント（Event）A3離脱条件：Mn + Ofn + Ocn + Hys < Mp + Ofp + Ocp + a3_Offset
【００９１】
＜イベント（Event）Ａ４＞
イベント（Event）A4加入条件：Mn + Ofn + Ocn - Hys > a4_Threshold
イベント（Event）A4離脱条件：Mn + Ofn + Ocn + Hys < a4_Threshold
【００９２】
＜イベント（Event）Ａ５＞
イベント（Event）A5加入条件1：Mp - Hys < a5_Threshold1
イベント（Event）A5加入条件2：Mn + Ofn + Ocn - Hys > a5_Threshold2
イベント（Event）A5離脱条件1：Mp + Hys > a5_Threshold1
イベント（Event）A5離脱条件2：Mn + Ofn + Ocn + Hys < a5_Threshold2
【００９３】
＜イベント（Event）Ａ６＞
イベント（Event）A6加入条件：Mn + Ocn - Hys > Ms + Ocs + a6_Offset
イベント（Event）A6離脱条件：Mn + Ocn + Hys < Ms + Ocs + a6_Offset
【００９４】
ここで、Ｍｓとは在圏セル（プライマリセルまたはセカンダリセル）に対する測定結果である。Ｍｐとは、プライマリセルに対する測定結果である。Ｍｎとは、周辺セル（neighbour cell）に対する測定結果である。端末装置は在圏セルの測定結果Ｍｓ、プライマリセルの測定結果Ｍｐ、または、周辺セルの測定結果Ｍｎを用いて各イベントについて評価する。
【００９５】
Hysとは、対象となる測定イベントに対するヒステリシスパラメータである。Ofnとは、周辺セルの周波数に対する周波数特有の測定オフセット値である。Ocnとは、周辺セルに対するセル特有の測定オフセット値である。なお、Ocnが設定されていない場合、端末装置は測定オフセット値を０（ゼロ）とする。
【００９６】
Ofsとは、在圏セルの周波数に対する周波数特有のオフセット値である。Ocsとは、在圏セルに対するセル特有の測定オフセット値である。
【００９７】
Ofpとは、プライマリセルの周波数に対する周波数特有のオフセット値である。Ocpとは、プライマリセルに対するセル特有の測定オフセット値である。
【００９８】
a1_Thresholdとは、イベントＡ１に対して適用されるスレッショルドパラメータである。a2_Thresholdとは、イベントＡ２に対して適用されるスレッショルドパラメータである。a3_Offsetとは、イベントＡ３に対して適用されるオフセットパラメータである。a4_Thresholdとは、イベントＡ４に対して適用されるスレッショルドパラメータである。a5_Threshold1とa5_Threshold2とは、それぞれイベントＡ５に対して適用されるスレッショルドパラメータである。a6_Offsetとは、イベントＡ６に対して適用されるオフセットパラメータである。
【００９９】
以上の事項を考慮しつつ、以下、添付図面を参照しながら本発明の適切な実施形態について詳細に説明する。なお、本発明の実施形態の説明において、本発明の実施形態に関連した公知の機能や構成についての具体的な説明が、本発明の実施形態の要旨を不明瞭にすると判断される場合には、その詳細な説明を省略する。
【０１００】
＜第１の実施形態＞
本発明の第１の実施形態について以下に説明する。
【０１０１】
図１は、本発明の第１の実施形態による端末装置１の一例を示すブロック図である。本端末装置１は、受信アンテナ部Ｒ０１、受信部１０１、復調部１０２、復号部１０３、受信データ制御部１０４、物理レイヤ制御部１０５、送信データ制御部１０６、符号部１０７、変調部１０８、送信部１０９、送信アンテナ部Ｔ０１、無線リソース制御部１１０から少なくとも構成される。図中の「部」とは、セクション、回路、構成装置、デバイス、ユニットなど用語によっても表現される、端末装置１の機能および各手順を実現する要素である。
【０１０２】
無線リソース制御部１１０は、端末装置１の状態制御、測定制御及び報告制御、共通制御情報及び個別制御情報の制御、接続制御、移動制御、無線リソース制御などを執り行うＲＲＣ（Ｒａｄｉｏ  Ｒｅｓｏｕｒｃｅ  Ｃｏｎｔｒｏｌ）層の各機能を実行するブロックである。また、受信データ制御部１０４と送信データ制御部１０６は、データリンク層を管理するＭＡＣ（Ｍｅｄｉｕｍ  Ａｃｃｅｓｓ  Ｃｏｎｔｒｏｌ）層、ＲＬＣ（Ｒａｄｉｏ  Ｌｉｎｋ  Ｃｏｎｔｒｏｌ）層、ＰＤＣＰ（Ｐａｃｋｅｔ  Ｄａｔａ  Ｃｏｎｖｅｒｇｅｎｃｅ  Ｐｒｏｔｏｃｏｌ）層における各機能を実行するブロックである。
【０１０３】
なお、端末装置１は、キャリア・アグリゲーション、および／またはデュアルコネクティビティによる複数の周波数（周波数帯、周波数帯域幅）またはセルの同時受信をサポートするために受信系のブロック（受信部１０１、復調部１０２、復号部１０３）、および複数の周波数（周波数帯、周波数帯域幅）またはセルの同時送信をサポートするために送信系のブロック（符号部１０７、変調部１０８、送信部１０９）を複数備える構成であってもよい。また、端末装置１は、受信データ制御部１０４、物理レイヤ制御部１０５、送信データ制御部１０６、無線リソース制御部１１０を複数備える構成であってもよい。
【０１０４】
端末装置１の受信処理に関し、無線リソース制御部１１０より受信データ制御部１０４へ受信データ制御情報が入力され、物理レイヤ制御部１０５には各ブロックを制御するための制御パラメータである物理レイヤ制御情報が入力される。物理レイヤ制御情報は、受信制御情報と送信制御情報によって構成される端末装置１の無線通信制御に必要なパラメータ設定を含む情報である。
【０１０５】
物理レイヤ制御情報は、基地局装置２から端末装置１に対して個別（ｄｅｄｉｃａｔｅｄ）に送信される無線接続リソース設定、セル固有の報知情報、またはシステムパラメータなどによって設定され、無線リソース制御部１１０が必要に応じて物理レイヤ制御部１０５へ入力する。物理レイヤ制御部１０５は、受信に関する制御情報である受信制御情報を、受信部１０１、復調部１０２、復号部１０３へ適切に入力する。
【０１０６】
受信制御情報は、下りリンクスケジューリング情報として、受信周波数帯域の情報、物理チャネルと物理シグナルに関する受信タイミング、多重方法、無線リソース配置情報などの情報が含まれている。また、受信データ制御情報は、セカンダリセル不活性化タイマー情報、ＤＲＸ（Ｄｉｓｃｏｎｔｉｎｕｏｕｓ  Ｒｅｃｅｐｔｉｏｎ）制御情報、マルチキャストデータ受信情報、下りリンク再送制御情報などを含む下りリンクの制御情報であり、ＭＡＣ層、ＲＬＣ層、ＰＤＣＰ層におけるそれぞれの下りリンクに関する制御情報が含まれている。
【０１０７】
受信信号は、受信アンテナ部Ｒ０１によって受信され、受信部１０１に入力される。受信部１０１は、受信制御情報で指定された周波数と周波数帯域に従って基地局装置２からの信号を受信する。受信部１０１はＲＦ回路を含んでもよい。受信された信号は復調部１０２へと入力される。復調部１０２は信号の復調を行う。復調部１０２は、復号部１０３へと復調後の信号を入力する。復号部１０３は、入力された信号を復号し、復号された各データ（下りリンクデータと下りリンク制御データ）を受信データ制御部１０４へと入力する。また、各データと共に基地局装置２から送信されたＭＡＣ制御要素も復号部１０３で復号され、受信データ制御部１０４へと入力される。
【０１０８】
受信データ制御部１０４は、受信したＭＡＣ制御要素に基づく物理レイヤ制御部１０５の制御、復号された各データのバッファリング制御、再送されたデータの誤り訂正制御（ＨＡＲＱ）などを行う。受信データ制御部１０４へ入力された各データは、無線リソース制御部１１０へと入力（転送）される。
【０１０９】
また、端末装置１の送信処理に関し、無線リソース制御部１１０より送信データ制御部１０６へ送信データ制御情報が入力され、物理レイヤ制御部１０５には各ブロックを制御するための制御パラメータである物理レイヤ制御情報が入力される。物理レイヤ制御部１０５は、送信に関する制御情報である送信制御情報を、符号部１０７、変調部１０８、送信部１０９へ適切に入力する。送信制御情報は、上りリンクスケジューリング情報として、符号化情報、変調情報、送信周波数帯域の情報、物理チャネルと物理シグナルに関する送信タイミング、多重方法、無線リソース配置情報などの情報が含まれている。
【０１１０】
また、送信データ制御情報は、ＤＴＸ（Ｄｉｓｃｏｎｔｉｎｕｏｕｓ  Ｔｒａｎｓｍｉｓｓｉｏｎ）制御情報、ランダムアクセス設定情報、上りリンク共用チャネル情報、論理チャネルプライオリティ情報、リソース要求設定情報、セルグループ情報、上りリンク再送制御情報などを含む上りリンクの制御情報である。無線リソース制御部１１０は、複数のセルにそれぞれ対応した複数のランダムアクセス設定情報を送信データ制御部１０６に設定してもよい。また、無線リソース制御部１１０は、上りリンク送信タイミングの調整に用いる送信タイミング調整情報と送信タイミングタイマーを管理し、セル毎（またはセルグループ毎、ＴＡグループ毎）に上りリンク送信タイミングの状態（送信タイミング調整状態または送信タイミング非調整状態）を管理する。送信タイミング調整情報と送信タイミングタイマーは、送信データ制御情報に含まれる。
【０１１１】
なお、複数の上りリンク送信タイミングの状態を管理する必要がある場合、送信データ制御部１０６は、複数のそれぞれのセル（またはセルグループ、ＴＡグループ）の上りリンク送信タイミングに対応する送信タイミング調整情報を管理する。リソース要求設定情報には、少なくとも最大送信カウンタ設定情報と無線リソース要求禁止タイマー情報とが含まれている。無線リソース制御部１１０は、複数のセルにそれぞれ対応した複数のリソース要求設定情報を送信データ制御部１０６に設定してもよい。
【０１１２】
端末装置１で生起した送信データ（上りリンクデータと上りリンク制御データ）は、無線リソース制御部１１０より任意のタイミングで送信データ制御部１０６に入力される。このとき、送信データ制御部１０６は、入力された送信データの量（上りリンクバッファ量）を計算する。また、送信データ制御部１０６は、入力された送信データが制御平面に属するデータなのか、ユーザ平面に属するデータなのかを判別する機能を有する。
【０１１３】
また、送信データ制御部１０６は、送信データ制御部１０６に対して送信データが入力されたときに、送信データ制御部１０６内（図示せず）の上りリンクバッファに送信データを格納する。そして、送信データ制御部１０６は、入力された送信データの送信に必要な無線リソースが端末装置１に対して割り当てられているかを判断する。送信データ制御部１０６は、無線リソース割り当てに基づいて、物理上りリンク共用チャネルＰＵＳＣＨ、物理上りリンク制御チャネルＰＵＣＣＨを用いた無線リソース要求（スケジューリングリクエスト（ＳＲ））、または物理ランダムアクセスチャネルを用いた無線リソース要求のいずれか一つを選択し、選択したチャネルを送信するための制御処理を物理レイヤ制御部１０５に対して要求する。
【０１１４】
すなわち、すでに無線リソースが割り当てられており、送信データを物理上りリンク共用チャネルＰＵＳＣＨで送信可能な状態であるとき、符号部１０７は、無線リソース制御部１１０の指示に従って割り当て済みの無線リソースに対応する送信データを上りリンクバッファから取得して符号化し、変調部１０８へと入力する。または、無線リソースが割り当てられていないときで、物理上りリンク制御チャネルによる無線リソース要求が可能であるとき、符号部１０７は、無線リソース制御部１１０の指示に従って物理上りリンク制御チャネルによる無線リソース要求の送信に必要な制御データを符号化し、変調部１０８へと入力する。
【０１１５】
または、無線リソースが割り当てられていないときで、物理上りリンク制御チャネルによる無線リソース要求が不可能であるとき、符号部１０７は、送信データ制御部１０６に対してランダムアクセス手順の開始を指示する。このとき、符号部１０７は、送信データ制御部１０６から入力されるランダムアクセス設定情報に基づき物理ランダムアクセスチャネルで送信されるプリアンブル系列を生成する。また、符号部１０７は、送信制御情報に従って各データを適切に符号化し、変調部１０８へと入力する。
【０１１６】
変調部１０８は、符号化された各データを送信するチャネル構造に基づいて適切な変調処理を行う。送信部１０９は、変調処理された各データを周波数領域にマッピングすると共に、周波数領域の信号を時間領域の信号へ変換し、既定の周波数の搬送波にのせて電力増幅を行う。送信部１０９は、また、無線リソース制御部１１０より入力されたセル毎（またセルグループ毎、ＴＡグループ毎）の送信タイミング調整情報に従って上りリンク送信タイミングを調整する。送信部１０９はＲＦ回路を含んでもよい。送信部１０９から出力された送信信号は、送信アンテナ部Ｔ０１から送信される。上りリンク制御データが配置される物理上りリンク共用チャネルは、ユーザデータの他に、例えばレイヤ３メッセージ（無線リソース制御メッセージ；ＲＲＣメッセージ）を含めることも可能である。
【０１１７】
図１において、その他の端末装置１の構成要素や、構成要素間のデータ（制御情報）の伝送経路については省略してあるが、端末装置１として動作するために必要なその他の機能を有する複数のブロックを構成要素として持つことは明らかである。例えば、無線リソース制御部１１０の上位には、コアネットワークとの制御を執り行うＮＡＳレイヤ部や、アプリケーションレイヤ部が存在している。
【０１１８】
また、受信アンテナ部Ｒ０１または送信アンテナ部Ｔ０１は、典型的には平面状のマルチバンドアンテナであるが、端末装置１の移動局装置能力、形状、目的などに適した任意のアンテナを採用して構成することができる。例えば、複数のアンテナ部で構成されていてもよいし、指向性を有していてもよいし、受信アンテナ部Ｒ０１および送信アンテナ部Ｔ０１が一体となっていてもよい。
【０１１９】
図２は、本発明の第１の実施形態による基地局装置２の一例を示すブロック図である。本基地局装置は、受信アンテナ部Ｒ０２、受信部２０１、復調部２０２、復号部２０３、受信データ制御部２０４、物理レイヤ制御部２０５、送信データ制御部２０６、符号部２０７、変調部２０８、送信部２０９、送信アンテナ部Ｔ０２、無線リソース制御部２１０、ネットワーク信号送受信部２１１から少なくとも構成される。図中の「部」とは、セクション、回路、構成装置、デバイス、ユニットなどの用語によっても表現される、基地局装置２の機能および各手順を実行する要素である。
【０１２０】
無線リソース制御部２１０は、基地局装置２の無線リソース制御を執り行うＲＲＣ（Ｒａｄｉｏ  Ｒｅｓｏｕｒｃｅ  Ｃｏｎｔｒｏｌ）層の各機能を実行するブロックである。また、受信データ制御部２０４と送信データ制御部２０６は、データリンク層を管理するＭＡＣ（Ｍｅｄｉｕｍ  Ａｃｃｅｓｓ  Ｃｏｎｔｒｏｌ）層、ＲＬＣ（Ｒａｄｉｏ  Ｌｉｎｋ  Ｃｏｎｔｒｏｌ）層、ＰＤＣＰ（Ｐａｃｋｅｔ  Ｄａｔａ  Ｃｏｎｖｅｒｇｅｎｃｅ  Ｐｒｏｔｏｃｏｌ）層における各機能を実行するブロックである。
【０１２１】
なお、基地局装置２は、キャリア・アグリゲーション、および／またはデュアルコネクティビティによる複数の周波数（周波数帯、周波数帯域幅）をサポートするために受信系のブロック（受信部２０１、復調部２０２、復号部２０３）、および送信系のブロック（符号部２０７、変調部２０８、送信部２０９）を複数備える構成であってもよい。また、受信データ制御部２０４、物理レイヤ制御部２０５、送信データ制御部２０６、無線リソース制御部２１０、ネットワーク信号送受信部２１１を複数備える構成であってもよい。
【０１２２】
無線リソース制御部２１０は、下りリンクデータと下りリンク制御データを送信データ制御部２０６へと入力する。送信データ制御部２０６は、端末装置１へ送信するＭＡＣ制御要素が存在する場合、ＭＡＣ制御要素と各データ（下りリンクデータまたは下りリンク制御データ）を符号部２０７へと入力する。符号部２０７は、入力されたＭＡＣ制御要素と各データを符号化し、変調部２０８へと入力する。変調部２０８は、符号化された信号の変調を行なう。
【０１２３】
また、変調部２０８で変調された信号は送信部２０９に入力される。送信部２０９は、入力された信号を周波数領域にマッピングした後、周波数領域の信号を時間領域の信号へ変換し、既定の周波数の搬送波にのせて電力増幅を行う。送信部２０９はＲＦ回路を含んでもよい。送信部２０９から出力された送信信号は、送信アンテナ部Ｔ０２から送信される。下りリンク制御データが配置される物理下りリンク共用チャネルは、典型的にはレイヤ３メッセージ（ＲＲＣメッセージ）を構成する。
【０１２４】
また、受信信号は、受信アンテナ部Ｒ０２によって受信され、受信部２０１に入力される。受信部２０１は、端末装置１から受信した信号をベースバンドのデジタル信号に変換する。端末装置１に対して異なる複数の送信タイミングのセルを設定している場合、受信部２０１はセル毎（またセルグループ毎、ＴＡグループ毎）に異なるタイミングで信号を受信する。受信部２０１で変換されたデジタル信号は、復調部２０２へ入力されて復調される。
【０１２５】
復調部２０２で復調された信号は続いて復号部２０３へと入力される。復号部２０３は、入力された信号を復号し、復号された各データ（上りリンクデータと上りリンク制御データ）を受信データ制御部２０４へと入力する。また、各データと共に端末装置１から送信されたＭＡＣ制御要素も復号部２０３で復号され、受信データ制御部２０４へと入力される。
【０１２６】
受信データ制御部２０４は、受信したＭＡＣ制御要素に基づく物理レイヤ制御部２０５の制御や、復号された各データをバッファリングし、再送されたデータの誤り訂正制御（ＨＡＲＱ）を行う。受信データ制御部２０４へ入力された各データは、無線リソース制御部２１０へと入力（転送）される。
【０１２７】
これら各ブロックの制御に必要な物理レイヤ制御情報は、受信制御情報と送信制御情報によって構成される基地局装置２の無線通信制御に必要なパラメータ設定を含む情報である。物理レイヤ制御情報は、上位のネットワーク装置（ＭＭＥやゲートウェイ装置（ＳＧＷ）、ＯＡＭなど）やシステムパラメータにより設定され、無線リソース制御部２１０が必要に応じて制御部２０４へ入力する。
【０１２８】
物理レイヤ制御部２０５は、送信に関連する物理レイヤ制御情報を送信制御情報として符号部２０７、変調部２０８、送信部２０９の各ブロックに入力し、受信に関連する物理レイヤ制御情報を受信制御情報として受信部２０１、復調部２０２、復号部２０３の各ブロックに適切に入力する。
【０１２９】
受信データ制御情報は、基地局装置２のＭＡＣ層、ＲＬＣ層、ＰＤＣＰ層のそれぞれに対する端末装置１の上りリンクに関する制御情報が含まれている。また、送信データ制御情報は、基地局装置２のＭＡＣ層、ＲＬＣ層、ＰＤＣＰ層のそれぞれに対する端末装置１の下りリンクに関する制御情報が含まれている。すなわち、受信データ制御情報と送信データ制御情報は、端末装置１毎に設定されている。
【０１３０】
ネットワーク信号送受信部２１１は、基地局装置２間あるいは上位のネットワーク装置（ＭＭＥ、ＳＧＷ）と基地局装置２との間の制御メッセージ、またはユーザデータの送信（転送）または受信を行なう。図２において、その他の基地局装置２の構成要素や、構成要素間のデータ（制御情報）の伝送経路については省略してあるが、基地局装置２として動作するために必要なその他の機能を有する複数のブロックを構成要素として持つことは明らかである。例えば、無線リソース制御部２１０の上位には、無線リソース管理（Ｒａｄｉｏ  Ｒｅｓｏｕｒｃｅ  Ｍａｎａｇｅｍｅｎｔ）部や、アプリケーションレイヤ部が存在している。
【０１３１】
また、受信アンテナ部Ｒ０２または送信アンテナ部Ｔ０２は、典型的には平面状のマルチバンドアンテナであるが、基地局装置２の送信能力、形状、目的などに適した任意のアンテナを採用して構成することができる。例えば、複数のアンテナ部で構成されていてもよいし、指向性を有していてもよいし、受信アンテナ部Ｒ０２および送信アンテナ部Ｔ０２が一体となっていてもよい。さらに、受信アンテナ部Ｒ０２および送信アンテナ部Ｔ０２（受信部２０１と送信部２０９を含めてもよい）を基地局装置２から独立した一つのユニット（Ｒｅｍｏｔｅ  Ｒａｄｉｏ  Ｈｅａｄ：ＲＲＨ）として構成し、基地局装置２と異なる位置に配置してもよい。
【０１３２】
図３は、マクロセルとスモールセルの配置について説明するための図である。マクロセルＣ０は周波数Ｆ０で運用されており、スモールセルＣ１は周波数Ｆ０、スモールセルＣ２は周波数Ｆ１で運用されている。すなわち、端末装置１は、デュアルコネクティビティを用いることにより、周波数Ｆ０において、マクロセルＣ０とスモールセルＣ１と接続することができる。また、端末装置１は、デュアルコネクティビティを用いることにより、周波数Ｆ０のマクロセルＣ０と周波数Ｆ１のスモールセルＣ２と接続することができる。
【０１３３】
基地局装置２と端末装置１は、同一の周波数（Ｆ０）のセルを用いてデュアルコネクティビティを行う場合、プライマリセルとしてマクロセルＣ０を使用し、セカンダリセルとしてスモールセルＣ１を使用すると仮定する。また、基地局装置２と端末装置１は、異なる周波数（Ｆ０、Ｆ１）のセルを用いてデュアルコネクティビティを行う場合、プライマリセルとしてマクロセルＣ０を使用し、セカンダリセルとしてスモールセルＣ２を使用すると仮定する。
【０１３４】
図４は、本発明の第１の実施形態における端末装置１と基地局装置２の測定方法に関するシーケンスチャート図の一例を示したものである。
【０１３５】
基地局装置２−１は、測定設定を含む無線リソース制御接続再設定メッセージを端末装置１に送信する（ステップＳ２００）。なお、測定設定は基地局装置２−２から送信されてもよい。
【０１３６】
続いて、端末装置１は、ステップＳ２０１において受信した測定設定の情報と、設定された在圏セルの周波数の配置情報とに基づいて評価対象セル（測定参照セル）と周辺セルとを判断して決定する。評価対象セルとは、測定イベントのイベント評価を行う際に用いられる測定結果（Ｍｓ、Ｍｐ）を計算するセルのことを示す。一方、周辺セルとは、測定イベントのイベント評価を行う際に用いられる測定結果（Ｍｎ）を計算するセルのことを示す。なお、端末装置１は、ブラックリストとしてリストされているセルの測定結果は、イベント評価の対象外とする。
【０１３７】
端末装置１は、ステップＳ２０１で決定した評価対象セル、および／または周辺セルの測定結果を用いて設定された測定イベントをそれぞれ評価する（ステップＳ２０２）。測定イベントの評価方法は、従来の方法と同じで良い。すなわち、評価対象セルの下りリンク参照信号の測定結果（Ｍｓ、Ｍｐ）と、周辺セルの下りリンク参照信号の測定結果（Ｍｎ）とを測定イベントに応じてそれぞれ評価する。なお、端末装置１は、必要に応じてオフセット値やヒステリシスを加えて測定イベントを評価する。端末装置１は、イベント評価により測定報告メッセージの送信手順がトリガされた場合、測定報告メッセージを生成し、測定報告メッセージを基地局装置２−１へ送信する（ステップＳ２０３）。なお、測定報告メッセージは基地局装置２−２へ送信してもよい。
【０１３８】
ステップＳ２０１における端末装置１の動作について詳細に説明する。
【０１３９】
＜イベントＡ１＞
（ａ）本イベントに関する測定対象の示す周波数に複数の在圏セルがある場合（すなわち、同一周波数においてデュアルコネクティビティによって接続されたセルの周波数の場合）、測定結果Ｍｓのセルは、（ａ１）プライマリセル、（ａ２）報告設定で指定されたセル、（ａ３）報告設定内のフラグで判断されるセル、（ａ４）現在通信しているセル、（ａ５）アンカーセル、（ａ６）測定対象周波数の在圏セル、のいずれかの方法を用いて端末装置１で決定される。（ａ１）〜（ａ６）に対する、より具体的な説明を次に行う。
【０１４０】
（ａ１）端末装置１は、プライマリセルの測定結果をＭｓとして用いる。この方法は、測定対象の示す周波数がプライマリ周波数である場合に有効である。端末装置１は、プライマリ周波数のセルであって、プライマリセル以外の測定結果はＭｓとしてみなさない。
【０１４１】
（ａ２）端末装置１は、報告設定で指定されたセルの測定結果をＭｓとして用いる。基地局装置２は、報告設定に測定結果をＭｓとして用いるセルのセルＩＤ（またはセルインデックス）を指定する情報を含めて端末装置１に送信する。あるいは、基地局装置２は、報告設定にセルグループ（またはＴＡグループ）を指定する情報を含め、測定対象の周波数における当該セルグループのセルをＭｓとして用いるようにしてもよい。端末装置１は、報告設定で指定されたセル以外のセルの測定結果はＭｓとしてみなさない。
【０１４２】
（ａ３）端末装置１は、報告設定内のフラグに基づいて判断したセルの測定結果をＭｓとして用いる。この方法は、測定対象の示す周波数がプライマリ周波数である場合に有効である。基地局装置２は、報告設定に１ビットのフラグ情報を含めて端末装置１に送信する。端末装置１は、フラグ情報が含まれていた場合、プライマリセル以外の同じ周波数の在圏セルの測定結果をＭｓとして用いる。一方、端末装置１は、フラグ情報が含まれていなかった場合、プライマリセルの測定結果をＭｓとして用いる。または、基地局装置２は、フラグ情報としてプライマリセルとセカンダリセルのいずれかが指定される情報を含めてもよい。端末装置１は、報告設定内のフラグに基づいて判断したセル以外のセルの測定結果はＭｓとしてみなさない。
【０１４３】
（ａ４）端末装置１は、現在通信しているセルの測定結果をＭｓとして用いる。例えば、端末装置１が複数セルとの同時受信、または同時送信に対応しておらず、一つのセルとの受信、または送信しかできない場合、通信していると判断されるセルの測定結果がＭｓとして用いられる。例えば、端末装置１は、ＰＤＣＣＨをモニタしているセル、スケジューリングリクエスト（ＳＲ）を送信するセル、ＣＱＩ（ＣＳＩ）報告を行うセル、パスロスを計算しているセル、基地局装置２によって指定された受信サブフレームまたは送信サブフレーム（無線フレーム）に対応するセル、の少なくとも一つの条件を用いて通信しているセルを判断してもよい。端末装置１は、現在通信しているセル以外のセルの測定結果はＭｓとしてみなさない。
【０１４４】
（ａ５）端末装置１は、アンカーセルの測定結果をＭｓとして用いる。アンカーセルは、基地局装置２から測定設定によって個別に指定される。また、基地局装置２は、報告設定に１ビットの情報を追加し、アンカーセルを用いて評価する測定イベントであるか否かについて測定イベント毎に個別に指定してもよい。（ａ２）との違いは、（ａ２）が測定イベント毎に設定されるのに対し、アンカーセルは端末装置１毎（または測定対象毎）に一つしか設定されない点である。アンカーセルは、プライマリセルであってもよいし、セカンダリセルであってもよいし、在圏セル以外の任意のセルであってもよい。アンカーセルはセルＩＤまたはセルインデックスによって指定することもできる。端末装置１は、アンカーセル以外のセルの測定結果はＭｓとしてみなさない。
【０１４５】
（ａ６）端末装置１は、測定対象周波数の在圏セルの測定結果をＭｓとして用いる。端末装置１は、同じ周波数に複数の在圏セルが存在している場合、そのすべての測定結果をＭｓとして用いる。この場合、基地局装置２は、どのセルの測定結果を用いて測定イベントを評価したか分からないため、端末装置１は、測定報告メッセージ内の測定結果にトリガしたセルを識別する情報を設定して報告する。セルを識別する情報とは、例えばセルＩＤや、セルインデックスである。
【０１４６】
（ｂ）本イベントに関する測定対象の示す周波数の在圏セルが一つだけの場合、測定結果Ｍｓのセルは、（ｂ１）測定対象の示す周波数の在圏セル、（ｂ２）アンカーセル、のいずれかの方法を用いて端末装置１で決定される。（ｂ１）〜（ｂ２）に対する、より具体的な説明を次に行う。
【０１４７】
（ｂ１）端末装置１は、測定対象の示す周波数の在圏セル（プライマリセル、またはセカンダリセル）の測定結果をＭｓとして用いる。端末装置１は、測定対象の示す周波数の在圏セルと同じ周波数のセルであって、測定対象の示す周波数の在圏セル以外のセルの測定結果はＭｓとしてみなさない。
【０１４８】
（ｂ２）端末装置１は、アンカーセルの測定結果をＭｓとして用いる。アンカーセルは、基地局装置２から測定設定によって個別に指定される。また、基地局装置２は、報告設定に１ビットの情報を追加し、アンカーセルを用いて評価する測定イベントであるか否かについて測定イベント毎に個別に指定してもよい。アンカーセルは、在圏セルであってもよいし、在圏セル以外の任意のセルであってもよい。端末装置１は、アンカーセル以外のセルの測定結果はＭｓとしてみなさない。
【０１４９】
＜イベントＡ２＞
イベントＡ２における測定結果Ｍｓのセルは、イベントＡ１と同じ動作によって決定されるため説明を略す。
【０１５０】
＜イベントＡ３＞
（ｃ）プライマリ周波数に複数の在圏セルがある場合、測定結果Ｍｐのセルは、（ｃ１）プライマリセル、（ｃ２）報告設定で指定されたセル、（ｃ３）報告設定内のフラグで判断されるセル、（ｃ４）現在通信しているセル、（ｃ５）アンカーセル、（ｃ６）プライマリ周波数の在圏セル、のいずれかの方法を用いて端末装置１で決定される。（ｃ１）〜（ｃ６）に対する、より具体的な説明を次に行う。
【０１５１】
（ｃ１）端末装置１は、プライマリセルの測定結果をＭｐとして用いる。端末装置１は、プライマリセル以外のセルの測定結果はＭｐとしてみなさない。
【０１５２】
（ｃ２）端末装置１は、報告設定で指定されたセルの測定結果をＭｐとして用いる。基地局装置２は、報告設定に測定結果をＭｐとして用いるセルのセルＩＤ（またはセルインデックス）を指定する情報を含めて端末装置１に送信する。あるいは、基地局装置２は、報告設定にセルグループ（またはＴＡグループ）を指定する情報を含め、測定対象の周波数における当該セルグループのセルをＭｐとして用いるようにしてもよい。端末装置１は、報告設定で指定されたセル以外のセルの測定結果はＭｐとしてみなさない。
【０１５３】
（ｃ３）端末装置１は、報告設定内のフラグに基づいて判断したセルの測定結果をＭｐとして用いる。基地局装置２は、報告設定に少なくとも１ビットのフラグ情報を含めて端末装置１に送信する。端末装置１は、フラグ情報が含まれていた場合、同一周波数におけるプライマリセル以外の在圏セルの測定結果をＭｐとして用いる。一方、端末装置１は、フラグ情報が含まれていなかった場合、プライマリセルの測定結果をＭｐとして用いる。または、基地局装置２は、フラグ情報としてプライマリセルとセカンダリセルのいずれかが指定される情報を含めてもよい。端末装置１は、報告設定内のフラグに基づいて判断したセル以外のセルの測定結果はＭｐとしてみなさない。
【０１５４】
（ｃ４）端末装置１は、現在通信しているセルの測定結果をＭｐとして用いる。例えば、端末装置１が複数セルとの同時受信、または同時送信に対応しておらず、一つのセルとの受信、または送信しかできない場合、通信していると判断されるセルの測定結果がＭｐとして用いられる。例えば、端末装置１は、ＰＤＣＣＨをモニタしているセル、スケジューリングリクエスト（ＳＲ）を送信するセル、ＣＱＩ（ＣＳＩ）報告を行うセル、パスロスを計算しているセル、基地局装置２によって指定された受信サブフレームまたは送信サブフレームに対応するセル、の少なくとも一つの条件を用いて通信しているセルを判断してもよい。なお、基地局装置２は、サブフレームの代わりに無線フレームを指定してもよい。端末装置１は、現在通信しているセル以外のセルの測定結果はＭｐとしてみなさない。
【０１５５】
（ｃ５）端末装置１は、アンカーセルの測定結果をＭｐとして用いる。アンカーセルは、基地局装置２から測定設定によって個別に指定される。また、基地局装置２は、報告設定に１ビットの情報を追加し、アンカーセルを用いて評価する測定イベントであるか否かについて測定イベント毎に個別に指定してもよい。（ｃ２）との違いは、（ｃ２）が測定イベント毎に設定されるのに対し、アンカーセルは端末装置１毎（または測定対象毎）に一つしか設定されない点である。アンカーセルは、プライマリセルであってもよいし、セカンダリセルであってもよいし、在圏セル以外の任意のセルであってもよい。アンカーセルはセルＩＤまたはセルインデックスによって指定することもできる。端末装置１は、アンカーセル以外のセルの測定結果はＭｐとしてみなさない。
【０１５６】
（ｃ６）端末装置１は、プライマリ周波数の在圏セルの測定結果をＭｐとして用いる。端末装置１は、プライマリ周波数に複数の在圏セルが存在している場合、そのすべての測定結果をＭｐとして用いる。この場合、基地局装置２は、どのセルの測定結果を用いて測定イベントを評価したか分からないため、端末装置１は、測定報告メッセージ内の測定結果にＭｐとして用いたセルを識別する情報を設定して報告する。セルを識別する情報とは、例えばセルＩＤや、セルインデックスである。なお、端末装置１は、Ｍｐとしてプライマリセルを用いて測定報告メッセージの送信手順がトリガされた場合、測定結果にセルを識別する情報を含めなくてもよい。基地局装置２は、測定報告メッセージにセルを識別する情報が含まれていなければ、Ｍｐとしてプライマリセルを用いたと判断してもよい。
【０１５７】
（ｄ）プライマリ周波数に複数の在圏セルがある場合、測定結果Ｍｎのセルは、測定対象の示す周波数におけるセルであって、（ｃ１）〜（ｃ５）でそれぞれＭｐとみなされなかったセルである。なお、（ｃ６）の場合、端末装置１は、ある在圏セルの測定結果をＭｐとみなした場合の、残りの在圏セルの測定結果をＭｎのセルとみなす。すなわち、端末装置１は、プライマリセルの測定結果をＭｐとして測定イベントを評価する際に、プライマリセル以外のセルの測定結果は全てＭｎとみなしてよい。
【０１５８】
（ｅ）プライマリ周波数に在圏セルが一つだけ（プライマリセルのみ）の場合、測定結果Ｍｐのセルは、（ｅ１）プライマリセル、（ｅ２）報告設定で指定されたセル、（ｅ３）現在通信しているセル、（ｅ４）アンカーセル、のいずれかの方法を用いて端末装置１で決定される。（ｅ１）〜（ｅ４）に対する、より具体的な説明を次に行う。
【０１５９】
（ｅ１）端末装置１は、プライマリセルの測定結果をＭｐとして用いる。端末装置１は、プライマリセル以外のセルの測定結果はＭｐとしてみなさない。
【０１６０】
（ｅ２）端末装置１は、報告設定で指定されたセルの測定結果をＭｐとして用いる。基地局装置２は、報告設定に測定結果をＭｐとして用いるセルのセルＩＤ（またはセルインデックス）を指定する情報を含めて端末装置１に送信する。端末装置１は、報告設定で指定されたセル以外のセルの測定結果はＭｐとしてみなさない。
【０１６１】
（ｅ３）端末装置１は、現在通信しているセルの測定結果をＭｐとして用いる。例えば、端末装置１が複数セルとの同時受信、または同時送信に対応しておらず、一つのセルとの受信、または送信しかできない場合、通信していると判断されるセルの測定結果がＭｐとして用いられる。端末装置１は、ＰＤＣＣＨをモニタしているセル、スケジューリングリクエスト（ＳＲ）を送信するセル、ＣＱＩ（ＣＳＩ）報告を行うセル、パスロスを計算しているセル、基地局装置２によって指定された受信サブフレームまたは送信サブフレーム（無線フレーム）に対応するセル、の少なくとも一つの条件を用いて通信しているセルを判断してもよい。端末装置１は、現在通信しているセル以外のセルの測定結果はＭｐとしてみなさない。
【０１６２】
（ｅ４）端末装置１は、アンカーセルの測定結果をＭｐとして用いる。アンカーセルは、基地局装置２から測定設定によって個別に指定される。また、基地局装置２は、報告設定に１ビットの情報を追加し、アンカーセルを用いて評価する測定イベントであるか否かについて測定イベント毎に個別に指定してもよい。（ｅ２）との違いは、（ｅ２）が測定イベント毎に設定されるのに対し、アンカーセルは端末装置１毎（または測定対象毎）に一つしか設定されない点である。アンカーセルは、プライマリセルであってもよいし、セカンダリセルであってもよいし、在圏セル以外の任意のセルであってもよい。アンカーセルはセルＩＤまたはセルインデックスによって指定することもできる。端末装置１は、アンカーセル以外のセルの測定結果はＭｐとしてみなさない。
【０１６３】
（ｆ）プライマリ周波数に在圏セルが一つだけ（プライマリセルのみ）の場合、測定結果Ｍｎのセルは、測定対象の示す周波数におけるセルであって、（ｅ１）〜（ｅ４）でそれぞれＭｐとみなされなかったセルである。
【０１６４】
＜イベントＡ４＞
（ｇ）本イベントに関する測定対象の示す周波数に複数の在圏セルがある場合、測定結果Ｍｎのセルは、測定対象の示す周波数におけるセルであって、（ａ１）〜（ａ５）でそれぞれＭｓとみなされなかったセルである。
【０１６５】
（ｈ）本イベントに関する測定対象の示す周波数の在圏セルが一つだけの場合、測定結果Ｍｎのセルは、測定対象の示す周波数におけるセルであって、（ｂ１）〜（ｂ２）でそれぞれＭｓとみなされなかったセルである。
【０１６６】
＜イベントＡ５＞
（ｉ）イベントＡ５における測定結果Ｍｐのセルは、イベントＡ３と同じ動作によって決定されるため説明を略す。
【０１６７】
（ｊ）イベントＡ５における測定結果Ｍｎのセルは、イベントＡ３と同じ動作によって決定されるため説明を略す。
【０１６８】
＜イベントＡ６＞
（ｋ）イベントＡ６における測定結果Ｍｓのセルは、イベントＡ１と同じ動作によって決定されるため説明を略す。
【０１６９】
（ｌ）イベントＡ６における測定結果Ｍｎのセルは、（ｋ）でそれぞれＭｓとみなされなかったセルである。
【０１７０】
このように構成することによって、端末装置１と基地局装置２は、基地局装置２−１のセルと基地局装置２−２のセルと接続する場合において評価対象セルを一意に決定することが可能となるため、測定方法に関する問題、特に、測定イベントを評価する際の対象となる（参照となる）セルを判断することができる。
【０１７１】
本実施形態の端末装置１は、複数の在圏セルが存在する場合であっても、基地局装置２から通知された測定イベントに応じて、評価参照セルと周辺セルとを判断することができる。また、端末装置１は、評価参照セルおよび／または周辺セルの測定結果を用いて設定された測定イベントを適切に評価し、評価結果に基づいて測定報告メッセージを送信することができる。また、本実施形態の基地局装置２は、複数の在圏セルが存在する場合であっても、端末装置１に対して評価参照セルと周辺セルとを判断させることができる。また、基地局装置２は、端末装置１から適切な測定結果を含む測定報告メッセージを受信することができる。
【０１７２】
第１の実施形態によれば、端末装置１は、測定イベントに基づいて、評価対象セルと周辺セルとをそれぞれ適切に決定して測定を行うことができるため、測定方法が効率的になる。また、基地局装置２は、測定イベントに基づいて評価参照セルと周辺セルとを端末装置１に判断させるための情報を測定設定に含めて送信することができるため、端末装置１に対して効率的な測定方法を提供することができる。
【０１７３】
＜第２の実施形態＞
本発明の第２の実施形態について以下に説明する。
【０１７４】
第１の実施形態において、評価対象セルを決定する一例としてアンカーセルを導入したが、既存の測定イベントにおいて評価対象セルを変更することは、端末装置１に対する影響が大きい。そこで、第２の実施形態では、アンカーセルに対して個別のイベントを設定し、端末装置１への影響を軽減する方法を示す。
【０１７５】
第２の実施形態の端末装置１と基地局装置２の構成は第１の実施形態と同じ構成でよいため説明を省略する。ただし、第２の実施形態の基地局装置２は、後述する新規のイベントＡ７に関する測定設定を端末装置１へ通知する機能と、イベントＡ７に関する測定報告メッセージを受信する機能を備える。また、端末装置１は、イベントＡ７に関する測定設定を受信して設定する機能と、イベントＡ７に関する測定とイベント評価を行い、測定報告メッセージを送信する機能を備える。
【０１７６】
測定イベントのトリガ基準として、以下に示す新規のイベントＡ７を用いる。
【０１７７】
＜イベント（Event）Ａ７＞
イベント（Event）A7加入条件：Mn + Ofn + Ocn - Hys > Ma + Ofa + Oca +a7_Offset
イベント（Event）A7離脱条件：Mn + Ofn + Ocn + Hys < Ma + Ofa + Oca +a7_Offset
【０１７８】
ここで、Ｍａとはアンカーセルに対する測定結果である。Ｍｎとは、周辺セル（neighbour cell）に対する測定結果である。端末装置１はアンカーセルの測定結果Ｍａと、周辺セルの測定結果Ｍｎを用いてイベントＡ７を評価する。
【０１７９】
アンカーセルは、基地局装置２から測定設定によって個別に指定される。アンカーセルは端末装置１毎（または測定対象毎）に一つしか設定されないことが望ましい。アンカーセルは、プライマリセルであってもよいし、セカンダリセルであってもよいし、在圏セル以外の任意のセルであってもよい。基地局装置２は、セルＩＤまたはセルインデックスによってアンカーセルを指定することもできる。また、基地局装置２は、測定対象または報告設定にアンカーセルを指定する情報を含めてもよい。端末装置１は、アンカーセル以外のセルの測定結果は、在圏セルの測定結果であってもＭｎとみなしてイベントを評価する。
【０１８０】
基地局装置２は、EUTRAに対する報告設定である報告設定EUTRAにおいて、イベント識別子（eventId）としてイベントＡ７を示す識別子情報、Hys、Ofn、Ocn、Ocaおよびa7_Offset、イベントＡ７を評価するトリガ量、トリガ時間、報告量、最大報告セル数、報告間隔、報告回数などを設定することができる。
【０１８１】
Hysとは、イベントに対するヒステリシスパラメータである。Ofnとは、周辺セルの周波数に対する周波数特有の測定オフセット値である。Ocnとは、周辺セルに対するセル特有の測定オフセット値である。Ocnが設定されていない場合、端末装置１は測定オフセット値を０（ゼロ）とする。
【０１８２】
Ofaとは、アンカーセルの周波数に対する周波数特有のオフセット値である。Ocaとは、アンカーセルに対するセル特有の測定オフセット値である。a7_Offsetとは、イベントＡ７に対して適用されるオフセットパラメータである。
【０１８３】
なお、基地局装置２は、イベントＡ７に対して離脱時報告（reportOnLeave）を設定することも可能である。
【０１８４】
端末装置１は、基地局装置２から受信したイベントＡ７に関する測定設定の情報に基づいて評価対象セルであるアンカーセルと、周辺セルとを判断して決定する。なお、ブラックリストとしてリストされているセルの測定結果は、イベント評価の対象外である。
【０１８５】
端末装置１は、アンカーセル、および／または周辺セルの測定結果を用いてイベントＡ７を評価する。測定イベントの評価方法は、上述した式に従う。すなわち、アンカーセルの下りリンク参照信号の測定結果（Ｍａ）と、周辺セルの下りリンク参照信号の測定結果（Ｍｎ）にオフセット値やヒステリシスを加えて測定イベントを評価する。端末装置１は、イベント評価によりイベントＡ７のトリガ基準が満たされ、測定報告メッセージの送信手順がトリガされた場合、測定報告メッセージを生成し、測定報告メッセージを基地局装置２−１へ送信する。なお、測定報告メッセージは基地局装置２−２へ送信してもよい。
【０１８６】
端末装置１は、測定報告メッセージに含める測定結果として、イベントＡ７に対応する測定識別子（measId）、アンカーセルの測定結果、イベントＡ７を満たした周辺セルＩＤとその測定結果、在圏セルＩＤとそれぞれの測定結果、を含めることができる。なお、報告する測定結果は、ＲＳＲＰとＲＳＲＱのいずれかはまた両方であることが望ましい。
【０１８７】
基地局装置２は、端末装置１からの測定報告メッセージを受信することによって、アンカーセルに対して測定イベントが満たされたかどうかについて知ることができる。基地局装置２は、受信した測定結果に基づいて、アンカーセルの変更、ハンドオーバー、デュアルコネクティビティのセル設定の変更、個別制御情報の変更、測定設定の変更、などを適切に決定し、端末装置１に対して通知することができる。
【０１８８】
このように構成することによって、端末装置１と基地局装置２は、基地局装置２−１のセルと基地局装置２−２のセルと接続する場合において、評価対象セルをアンカーセルとして一意に決定することが可能となるため、測定方法に関する問題、特に、測定イベントを評価する際の対象となる（参照となる）セルを判断することができる。
【０１８９】
本実施形態の端末装置１は、複数の在圏セルが存在する場合であっても、基地局装置２から通知された測定イベントで指定されるセル情報を用いて、評価参照セルと周辺セルとを判断することができる。また、端末装置１は、評価参照セルおよび／または周辺セルの測定結果を用いて設定された測定イベントを適切に評価し、評価結果に基づいて測定報告メッセージを送信することができる。また、本実施形態の基地局装置２は、複数の在圏セルが存在する場合であっても、端末装置１に対して評価参照セルと周辺セルとを判断させることができる。また、基地局装置２は、端末装置１から適切な測定結果を含む測定報告メッセージを受信することができる。
【０１９０】
第２の実施形態によれば、端末装置１は、アンカーセルに対する測定イベントに基づいて、評価対象セルと周辺セルとをそれぞれ適切に決定して測定を行うことができるため、測定方法が効率的になる。また、基地局装置２は、アンカーセルに対する測定イベントに基づいて評価参照セルと周辺セルとを端末装置１に判断させるための情報を測定設定に含めて送信することができるため、端末装置１に対して効率的な測定方法を提供することができる。
【０１９１】
なお、以上説明した実施形態は単なる例示に過ぎず、様々な変形例、置換例を用いて実現することができる。例えば、上りリンク送信方式は、ＦＤＤ（周波数分割復信）方式とＴＤＤ（時分割復信）方式のどちらの通信システムに対しても適用可能である。また、実施形態で示される各パラメータ（情報）や各イベントの名称は、説明の便宜上呼称しているものであって、実際に適用される名称と本発明の実施形態の名称とが異なっていても、本発明の実施形態において主張する発明の趣旨に影響するものではない。
【０１９２】
また、各実施形態で用いた「接続」とは、ある装置と別のある装置とを、物理的な回線を用いて直接接続される構成にだけ限定されることを示唆するわけではなく、論理的に接続される構成や、無線技術を用いて無線接続される構成を含む。
【０１９３】
また、端末装置１とは、可搬型あるいは可動型の移動局装置のみならず、屋内外に設置される据え置き型、または非可動型の電子機器、たとえば、ＡＶ機器、キッチン機器、掃除・洗濯機器、空調機器、オフィス機器、自動販売機、その他生活機器や測定機器、車載装置、さらに身に着けることが可能なウェアラブル機器やヘルスケア機器などに対し通信機能を搭載したものを含む。また、端末装置１は、人対人または人対機器の通信だけではなく、機器対機器の通信（Ｍａｃｈｉｎｅ  Ｔｙｐｅ  Ｃｏｍｍｕｎｉｃａｔｉｏｎ、マシンタイプ通信）や、デバイス対デバイスの通信（Ｄｅｖｉｃｅ  ｔｏ  Ｄｅｖｉｃｅ  Ｃｏｍｍｕｎｉｃａｔｉｏｎ；Ｄ２Ｄ）にも用いられる。
【０１９４】
端末装置１は、ユーザ端末、移動局装置、通信端末、移動機、端末、ＵＥ（Ｕｓｅｒ  Ｅｑｕｉｐｍｅｎｔ）、ＭＳ（Ｍｏｂｉｌｅ  Ｓｔａｔｉｏｎ）とも称される。基地局装置２は、無線基地局装置、基地局、無線基地局、固定局、ＮＢ（ＮｏｄｅＢ）、ｅＮＢ（ｅｖｏｌｖｅｄ  ＮｏｄｅＢ）、ＢＴＳ（Ｂａｓｅ  Ｔｒａｎｓｃｅｉｖｅｒ  Ｓｔａｔｉｏｎ）、ＢＳ（Ｂａｓｅ  Ｓｔａｔｉｏｎ）とも称される。
【０１９５】
なお、基地局装置２は、３ＧＰＰが規定するＵＭＴＳにおいてＮＢと称され、ＥＵＴＲＡおよびＡｄｖａｎｃｅｄ  ＥＵＴＲＡにおいてｅＮＢと称される。なお、３ＧＰＰが規定するＵＭＴＳ、ＥＵＴＲＡおよびＡｄｖａｎｃｅｄ  ＥＵＴＲＡにおける端末装置１はＵＥと称される。
【０１９６】
また、説明の便宜上、機能的なブロック図を用いて、端末装置１および基地局装置２の各部の機能またはこれらの機能の一部を実現するための方法、手段、またはアルゴリズムのステップについて具体的に組み合わせて記載したが、これらは、ハードウェア、プロセッサによって実行されるソフトウェアモジュール、または、これらを組み合わせたものによって、直接的に具体化され得る。
【０１９７】
もしハードウェアによって実装されるのであれば、端末装置１および基地局装置２は説明したブロック図の構成以外に端末装置１および基地局装置２へ電力を供給する給電装置やバッテリー、液晶などのディスプレイ装置及びディスプレイ駆動装置、メモリ、入出力インターフェース及び入出力端子、スピーカー、その他の周辺装置によって構成される。
【０１９８】
もしソフトウェアによって実装されるのであれば、その機能は、コンピュータ読み取り可能な媒体上の一つ以上の命令またはコードとして保持され、または伝達され得る。コンピュータ読み取り可能な媒体は、コンピュータプログラムをある場所から別の場所への持ち運びを助ける媒体を含むコミュニケーションメディアやコンピュータ記録メディアの両方を含む。
【０１９９】
そして、一つ以上の命令またはコードをコンピュータ読み取り可能な記録媒体に記録し、この記録媒体に記録された一つ以上の命令またはコードをコンピュータシステムに読み込ませ、実行することにより端末装置１や基地局装置２の制御を行なっても良い。なお、ここでいう「コンピュータシステム」とは、ＯＳや周辺機器等のハードウェアを含むものとする。
【０２００】
本発明の各実施形態に記載の動作をプログラムで実現してもよい。本発明の各実施形態に関わる端末装置１および基地局装置２で動作するプログラムは、本発明の各実施形態に関わる上記実施形態の機能を実現するように、ＣＰＵ等を制御するプログラム（コンピュータを機能させるプログラム）である。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行なわれる。
【０２０１】
また、プログラムを実行することにより、上述した実施形態の機能が実現されるだけでなく、そのプログラムの指示に基づき、オペレーティングシステムあるいは他のアプリケーションプログラム等と共同して処理することにより、本発明の各実施形態の機能が実現される場合もある。
【０２０２】
また、「コンピュータ読み取り可能な記録媒体」とは、半導体媒体（例えば、ＲＡＭ、不揮発性メモリカード等）、光記録媒体（例えば、DVD、MO、MD、CD、BD等）、磁気記録媒体（例えば、磁気テープ、フレキシブルディスク等）等の可搬媒体、コンピュータシステムに内蔵されるディスクユニット等の記憶装置のことをいう。さらに、「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。
【０２０３】
また、上記プログラムは、前述した機能の一部を実現するためのものであっても良く、さらに、前述した機能をコンピュータシステムに既に記録されているプログラムとの組み合わせで実現できるものであっても良い。
【０２０４】
また、上記各実施形態に用いた端末装置１および基地局装置２の各機能ブロック、または諸特徴は、本明細書で述べられた機能を実行するように設計された汎用用途プロセッサ、デジタルシグナルプロセッサ（ＤＳＰ）、特定用途向けの集積回路（ＡＳＩＣ）あるいは一般用途向けの任意の集積回路（ＩＣ）、フィールドプログラマブルゲートアレイシグナル（ＦＰＧＡ）、またはその他のプログラマブル論理デバイス、ディスクリートゲートまたはトランジスタロジック、ディスクリートハードウェア部品、またはこれらを組み合わせたものによって、実装または実行され得る。
【０２０５】
汎用用途プロセッサは、マイクロプロセッサであっても良いが、代わりにプロセッサは従来型のプロセッサ、コントローラ、マイクロコントローラ、またはステートマシンであっても良い。汎用用途プロセッサ、または上述した各回路は、デジタル回路で構成されていてもよいし、アナログ回路で構成されていてもよい。
【０２０６】
プロセッサはまた、コンピューティングデバイスを組み合わせたものとして実装されても良い。例えば、ＤＳＰとマイクロプロセッサ、複数のマイクロプロセッサ、ＤＳＰコアと接続された一つ以上のマイクロプロセッサ、またはその他のそのような構成を組み合わせたものである。
【０２０７】
以上、この発明の実施形態について具体例に基づいて詳述してきたが、本発明の各実施形態の趣旨ならびに特許請求の範囲は、これらの具体例に限定されないことは明らかであり、この発明の要旨を逸脱しない範囲の設計変更等も含まれる。すなわち、本明細書の記載は例示説明を目的としたものであり、本発明の各実施形態に対して何ら制限を加えるものではない。
【０２０８】
また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も本発明の技術的範囲に含まれる。
【産業上の利用可能性】
【０２０９】
本発明は、携帯電話、パーソナル・コンピュータ、タブレット型コンピュータなどに適用できる。
【符号の説明】
【０２１０】
１    端末装置
２、２−１、２−２    基地局装置
１０１、２０１    受信部
１０２、２０２    復調部
１０３、２０３    復号部
１０４、２０４    受信データ制御部
１０５、２０５    物理レイヤ制御部
１０６、２０６    送信データ制御部
１０７、２０７    符号部
１０８、２０８    変調部
１０９、２０９    送信部
１１０、２１０    無線リソース制御部
２１１    ネットワーク信号送受信部
Ｒ０１、Ｒ０２    受信アンテナ部
Ｔ０１、Ｔ０２    送信アンテナ部
【図１】
2015029712.tif 000003
【図２】
2015029712.tif 000004
【図３】
2015029712.tif 000005
【図４】
2015029712.tif 000006
【図５】
2015029712.tif 000007
【図６】
2015029712.tif 000008
【国際調査報告】
2015029712.tif 000009
2015029712.tif 000010
2015029712.tif 000011
2015029712.tif 000012
2015029712.tif 000013
2015029712.tif 000014